(57)【要約】【課題】Ｅ-ＲＡＢとＵｕ無線ベアラとＵｎ無線ベアラとＳ１ベアラとを適切にマッピングする。【解決手段】本発明に係る移動通信方法は、移動局ＵＥと交換局ＭＭＥとの間で移動局ＵＥ用のＥ-ＲＡＢを設定する際に、移動局ＵＥとリレーノードＲＮとの間の第１無線区間でＵｕ無線ベアラを設定すると共に、リレーノードＲＮと無線基地局ＤｅＮＢとの間の第２無線区間でＵｎ無線ベアラを設定する工程を有する。【選択図】図２
2010283672.tif 000002
【特許請求の範囲】
【請求項１】
移動局と交換局との間で該移動局用のベアラを設定する際に、該移動局とリレーノードとの間の第１無線区間で第１無線ベアラを設定すると共に、該リレーノードと無線基地局との間の第２無線区間で第２無線ベアラを設定する工程を有し、
前記工程において、
前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該リレーノードの識別情報と前記第２無線ベアラの識別情報とによって特定される該第２無線ベアラとを関連付ける第１コンテキスト情報を生成して記憶し、
前記無線基地局は、前記第２無線区間における前記移動局用のベアラの識別情報と該リレーノードの識別情報と前記第２無線ベアラの識別情報とによって特定される該第２無線ベアラと、該無線基地局と前記交換局との間のベアラとを関連付ける第２コンテキスト情報を生成して記憶することを特徴とする移動通信方法。
【請求項２】
前記工程は、
前記リレーノードが、前記無線基地局に対して、前記移動局から受信した該移動局用のベアラの設定要求信号を含む所定信号を送信する工程Ａと、
前記無線基地局が、受信した前記所定信号内に上位レイヤ信号として含まれている信号が、前記リレーノードに接続されている前記移動局から送信された該移動局用のベアラの設定要求信号であると判定し、前記交換局から受信した該移動局用のベアラの設定要求信号に対する該移動局用のベアラの設定受付信号を含む前記第２無線ベアラの設定要求信号を、前記リレーノードに対して送信する工程Ｂと、
前記リレーノードが、受信した前記第２無線ベアラの設定要求信号に応じて、前記移動局に対して、前記第１無線ベアラの設定要求信号を送信する工程Ｃと、
前記移動局が、受信した前記第１無線ベアラの設定要求信号に応じて、前記リレーノードに対して、前記第１無線ベアラの設定完了信号を送信する工程Ｄと、
前記リレーノードが、受信した前記第１無線ベアラの設定完了信号に応じて、前記第１コンテキスト情報を生成して記憶すると共に、前記無線基地局に対して、前記第２無線ベアラの設定完了信号を送信する工程Ｅと、
前記無線基地局が、受信した前記第２無線ベアラの設定完了信号に応じて、前記第２コンテキスト情報を生成して記憶する工程Ｆとを有することを特徴とする請求項１に記載の移動通信方法。
【請求項３】
前記工程Ａにおいて、前記リレーノードが、前記無線基地局に対して、該リレーノード用として設定されている制御信号を伝送するためのシグナリング無線ベアラを介して、前記所定信号を送信することを特徴とする請求項２に記載の移動通信方法。
【請求項４】
前記工程Ａにおいて、前記リレーノードが、前記無線基地局に対して、該リレーノード用として前記第２無線区間で設定されているユーザデータを伝送するためのデータ無線ベアラを介して、前記所定信号を送信することを特徴とする請求項２に記載の移動通信方法。
【請求項５】
前記工程Ｂにおいて、前記無線基地局が、受信した前記所定信号に所定フラグが設定されている場合に、該所定信号内に上位レイヤ信号として含まれている信号が前記リレーノードに接続されている前記移動局から送信された前記移動局用のベアラの設定要求信号であると判定することを特徴とする請求項２に記載の移動通信方法。
【請求項６】
前記工程Ｂにおいて、前記無線基地局が、受信した前記所定信号内に含まれている上位レイヤ信号内に所定情報が含まれている場合に、該所定信号内に上位レイヤ信号として含まれている信号が前記リレーノードに接続されている前記移動局から送信された前記移動局用のベアラの設定要求信号であると判定することを特徴とする請求項２に記載の移動通信方法。
【請求項７】
移動局と交換局との間で該移動局用のベアラを設定する際に、リレーノードと無線基地局との間の第２無線区間で第２無線ベアラを設定した後に、該移動局と該リレーノードとの間の第１無線区間で第１無線ベアラを設定する工程を有し、
前記工程において、
前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該リレーノードの識別情報と前記第２無線ベアラの識別情報とによって特定される該第２無線ベアラとを関連付ける第１コンテキスト情報を生成して記憶し、
前記無線基地局は、前記第２無線区間における前記移動局用のベアラの識別情報と該リレーノードの識別情報と前記第２無線ベアラの識別情報とによって特定される該第２無線ベアラと、該無線基地局と前記交換局との間のベアラとを関連付ける第２コンテキスト情報を生成して記憶することを特徴とする移動通信方法。
【請求項８】
前記工程は、
前記リレーノードが、前記無線基地局に対して、前記移動局から受信した該移動局用のベアラの設定要求信号を含む所定信号を送信する工程Ａと、
前記無線基地局が、前記所定信号内に上位レイヤ信号として含まれている信号が前記リレーノードに接続されている前記移動局から送信された前記移動局用のベアラの設定要求信号であると判定し、前記交換局から該移動局用のベアラの設定要求信号に対する該移動局用のベアラの設定受付信号を受信した後に、前記第２無線ベアラの設定要求信号を、前記リレーノードに対して送信する工程Ｂと、
前記無線基地局が、前記リレーノードから受信した前記第２無線ベアラの設定要求信号に対する前記第２無線ベアラの設定完了信号に応じて、前記第２コンテキスト情報を生成して記憶し、該リレーノードに対して、前記移動局用のベアラの設定受付信号を送信すると工程Ｃと、
前記リレーノードが、受信した前記移動局用のベアラの設定受付信号に応じて、前記移動局に対して、該移動局用のベアラの設定受付信号を含む前記第１無線ベアラの設定要求信号を送信する工程Ｄと、
前記移動局が、受信した前記第１無線ベアラの設定要求信号に応じて、前記リレーノードに対して、前記第１無線ベアラの設定完了信号を送信する工程Ｅと、
前記リレーノードが、受信した前記第１無線ベアラの設定完了信号に応じて、前記第１コンテキスト情報を生成して記憶する工程Ｆとを有することを特徴とする請求項７に記載の移動通信方法。
【請求項９】
前記工程Ａにおいて、前記リレーノードが、前記無線基地局に対して、該リレーノード用として前記第２無線区間で設定されているユーザデータを伝送するためのデータ無線ベアラを介して、前記所定信号を送信することを特徴とする請求項８に記載の移動通信方法。
【請求項１０】
前記工程Ｂにおいて、前記無線基地局が、受信した前記所定信号に所定フラグが設定されている場合に、該所定信号内に上位レイヤ信号として含まれている信号が前記リレーノードに接続されている前記移動局から送信された前記移動局用のベアラの設定要求信号であると判定することを特徴とする請求項８に記載の移動通信方法。
【請求項１１】
前記工程Ｂにおいて、前記無線基地局が、受信した前記所定信号内に含まれている上位レイヤ信号内に所定情報が含まれている場合に、該所定信号内に上位レイヤ信号として含まれている信号が前記リレーノードに接続されている前記移動局から送信された前記移動局用のベアラの設定要求信号であると判定することを特徴とする請求項８に記載の移動通信方法。
【請求項１２】
移動局と交換局との間で該移動局用のベアラを設定する際に、リレーノードが無線基地局から該移動局の識別情報を取得し、該移動局と該リレーノードとの間の第１無線区間で第１無線ベアラを設定すると共に、該リレーノードと該無線基地局との間の第２無線区間で第２無線ベアラを設定する工程を有し、
前記工程において、
前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該移動局の識別情報と前記第２無線ベアラの識別情報とによって特定される該第２無線ベアラとを関連付ける第１コンテキスト情報を生成して記憶し、
前記無線基地局は、前記第２無線区間における前記移動局用のベアラの識別情報と該移動局の識別情報と前記第２無線ベアラの識別情報とによって特定される該第２無線ベアラと、該無線基地局と前記交換局との間のベアラとを関連付ける第２コンテキスト情報を生成して記憶することを特徴とする移動通信方法。
【請求項１３】
前記工程は、
前記リレーノードが、前記移動局から受信した該移動局用のベアラの設定要求信号に応じて、前記無線基地局から該移動局の識別情報を取得する工程Ａと、
前記リレーノードが、前記無線基地局に対して、前記移動局用のベアラの設定要求信号を含む所定信号を送信する工程Ｂと、
前記無線基地局が、前記所定信号内に上位レイヤ信号として含まれている信号が前記リレーノードに接続されている前記移動局から送信された前記移動局用のベアラの設定要求信号であると判定し、前記交換局から受信した該移動局用のベアラの設定要求信号に対する該移動局用のベアラの設定受付信号を含む前記第２無線ベアラの設定要求信号を、前記リレーノードに対して送信する工程Ｃと、
前記リレーノードが、受信した前記第２無線ベアラの設定要求信号に応じて、前記移動局に対して、前記第１無線ベアラの設定要求信号を送信する工程Ｄと、
前記移動局が、受信した前記第１無線ベアラの設定要求信号に応じて、前記リレーノードに対して、前記第１無線ベアラの設定完了信号を送信する工程Ｅと、
前記リレーノードが、受信した前記第１無線ベアラの設定完了信号に応じて、前記第１コンテキスト情報を生成して記憶すると共に、前記無線基地局に対して、前記第２無線ベアラの設定完了信号を送信する工程Ｆと、
前記無線基地局が、受信した前記第２無線ベアラの設定完了信号に応じて、前記第２コンテキスト情報を生成して記憶する工程Ｇとを有することを特徴とする請求項１２に記載の移動通信方法。
【請求項１４】
前記工程Ｂにおいて、前記リレーノードが、前記無線基地局に対して、該リレーノード用として設定されている制御信号を伝送するためのシグナリング無線ベアラを介して、前記所定信号を送信することを特徴とする請求項１３に記載の移動通信方法。
【請求項１５】
前記工程Ｂにおいて、前記リレーノードが、前記無線基地局に対して、該リレーノード用として前記第２無線区間で設定されているユーザデータを伝送するためのデータ無線ベアラを介して、前記所定信号を送信することを特徴とする請求項１３に記載の移動通信方法。
【請求項１６】
前記工程Ｃにおいて、前記無線基地局が、受信した前記所定信号に所定フラグが設定されている場合に、該所定信号内に上位レイヤ信号として含まれている信号が前記リレーノードに接続されている前記移動局から送信された前記移動局用のベアラの設定要求信号であると判定することを特徴とする請求項１３に記載の移動通信方法。
【請求項１７】
前記工程Ｃにおいて、前記無線基地局が、受信した前記所定信号内に含まれている上位レイヤ信号内に所定情報が含まれている場合に、該所定信号内に上位レイヤ信号として含まれている信号が前記リレーノードに接続されている前記移動局から送信された前記移動局用のベアラの設定要求信号であると判定することを特徴とする請求項１３に記載の移動通信方法。
【請求項１８】
移動局と交換局との間で該移動局用のベアラを設定する際に、リレーノードが無線基地局から該移動局の識別情報を取得し、該リレーノードと該無線基地局との間の第２無線区間で第２無線ベアラを設定した後に、該移動局と該リレーノードとの間の第１無線区間で第１無線ベアラを設定する工程を有し、
前記工程において、
前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該移動局の識別情報と前記第２無線ベアラの識別情報とによって特定される該第２無線ベアラとを関連付ける第１コンテキスト情報を生成して記憶し、
前記無線基地局は、前記第２無線区間における前記移動局用のベアラの識別情報と該移動局の識別情報と前記第２無線ベアラの識別情報とによって特定される該第２無線ベアラと、該無線基地局と前記交換局との間のベアラとを関連付ける第２コンテキスト情報を生成して記憶することを特徴とする移動通信方法。
【請求項１９】
前記工程は、
前記リレーノードが、前記移動局から受信した該移動局用のベアラの設定要求信号に応じて、前記無線基地局から該移動局の識別情報を取得する工程Ａと、
前記リレーノードが、前記無線基地局に対して、前記移動局用のベアラの設定要求信号を含む所定信号を送信する工程Ｂと、
前記無線基地局が、受信した前記所定信号内に上位レイヤ信号として含まれている信号が前記リレーノードに接続されている前記移動局から送信された前記移動局用のベアラの設定要求信号であると判定し、前記交換局から該移動局用のベアラの設定要求信号に対する該移動局用のベアラの設定受付信号を受信した後に、前記第２無線ベアラの設定要求信号を、前記リレーノードに対して送信する工程Ｃと、
前記無線基地局が、前記リレーノードから受信した前記第２無線ベアラの設定要求信号に対する前記第２無線ベアラの設定完了信号に応じて、前記第２コンテキスト情報を生成して記憶し、該リレーノードに対して、前記移動局用のベアラの設定受付信号を送信すると工程Ｄと、
前記リレーノードが、受信した前記移動局用のベアラの設定受付信号に応じて、前記移動局に対して、該移動局用のベアラの設定受付信号を含む前記第１無線ベアラの設定要求信号を送信する工程Ｅと、
前記移動局が、受信した前記第１無線ベアラの設定要求信号に応じて、前記リレーノードに対して、前記第１無線ベアラの設定完了信号を送信する工程Ｆと、
前記リレーノードが、受信した前記第１無線ベアラの設定完了信号に応じて、前記第１コンテキスト情報を生成して記憶する工程Ｇとを有することを特徴とする請求項１８に記載の移動通信方法。
【請求項２０】
前記工程Ｂにおいて、前記リレーノードが、前記無線基地局に対して、該リレーノード用として前記第２無線区間で設定されているユーザデータを伝送するためのデータ無線ベアラを介して、前記所定信号を送信することを特徴とする請求項１９に記載の移動通信方法。
【請求項２１】
前記工程Ｃにおいて、前記無線基地局が、受信した前記所定信号に所定フラグが設定されている場合に、該所定信号内に上位レイヤ信号として前記移動局用のベアラの設定要求信号が含まれていると判定することを特徴とする請求項１９に記載の移動通信方法。
【請求項２２】
前記工程Ｃにおいて、前記無線基地局が、受信した前記所定信号内に含まれている上位レイヤ信号内に所定情報が含まれている場合に、該所定信号内に上位レイヤ信号として含まれている信号が前記リレーノードに接続されている前記移動局から送信された前記移動局用のベアラの設定要求信号であると判定することを特徴とする請求項１９に記載の移動通信方法。
【請求項２３】
前記工程において、前記無線基地局は、前記リレーノードにおいて同時に復号可能な移動局の識別情報の数を取得し、
前記無線基地局は、各タイムスロットで多重する前記リレーノード配下の移動局の数が、該リレーノードにおいて同時に復号可能な移動局の識別情報の数以下になるようにスケジューリング処理を行うことを特徴とする請求項１２又は１８に記載の移動通信方法。
【請求項２４】
リレーノードと無線基地局との間の第２無線区間で、交換局との間でベアラを設定しているリレーノード配下の移動局の数よりも多くの数の各ＱｏＳ用の第２無線ベアラを予め設定する工程Ａと、
移動局と前記交換局との間で、所定ＱｏＳの通信を行うための該移動局用のベアラを設定する際に、該移動局と前記リレーノードとの間の第１無線区間で、該所定ＱｏＳ用の第１無線ベアラを設定する工程Ｂとを有し、
前記工程Ｂにおいて、
前記リレーノードは、前記所定ＱｏＳ用の第１無線ベアラと、前記所定ＱｏＳ用の第２無線ベアラとを関連付ける第１コンテキスト情報を生成して記憶し、
前記無線基地局が、前記所定ＱｏＳ用の第２無線ベアラと、該無線基地局と前記交換局との間のベアラとを関連付ける第２コンテキスト情報を生成して記憶することを特徴とする移動通信方法。
【請求項２５】
前記工程Ｂにおいて、
前記リレーノードは、前記第１無線区間における前記移動局用のベアラの識別情報と該移動局の識別情報と前記第１無線ベアラの識別情報とによって特定される前記所定ＱｏＳ用の第１無線ベアラと、前記第２無線区間における前記移動局用のベアラの識別情報と該移動局の識別情報と前記第２無線ベアラの識別情報とによって特定される前記所定ＱｏＳ用の第２無線ベアラとを関連付ける前記第１コンテキスト情報を生成して記憶し、
前記無線基地局は、前記第２無線区間における前記移動局用のベアラの識別情報と該移動局の識別情報と前記第２無線ベアラの識別情報とによって特定される前記所定ＱｏＳ用の第２無線ベアラと、該無線基地局と前記交換局との間のベアラとを関連付ける前記第２コンテキスト情報を生成して記憶することを特徴とする請求項２４に記載の移動通信方法。
【請求項２６】
前記工程Ｂにおいて、
前記リレーノードは、前記無線基地局から前記移動局の識別情報を取得し、
前記リレーノードは、前記第１無線区間における前記移動局用のベアラの識別情報と該移動局の識別情報と前記第１無線ベアラの識別情報とによって特定される前記所定ＱｏＳ用の第１無線ベアラと、前記第２無線区間における前記移動局用のベアラの識別情報と該移動局の識別情報と前記第２無線ベアラの識別情報とによって特定される前記所定ＱｏＳ用の第２無線ベアラとを関連付ける第１コンテキスト情報を生成して記憶し、
前記無線基地局が、前記第２無線区間における前記移動局用のベアラの識別情報と該移動局の識別情報と前記第２無線ベアラの識別情報とによって特定される前記所定ＱｏＳ用の第２無線ベアラと、該無線基地局と前記交換局との間のベアラとを関連付ける第２コンテキスト情報を生成して記憶することを特徴とする請求項２４に記載の移動通信方法。
【請求項２７】
リレーノードであって、
移動局との間のインターフェイスとして機能する移動局側インターフェイスと、
無線基地局との間のインターフェイスとして機能する無線基地局側インターフェイスと、
コンテキスト情報を管理するように構成されている管理部とを具備し、
前記移動局側インターフェイスが、前記移動局から、該移動局と交換局との間における該移動局用のベアラの設定要求信号を受信した場合に、前記無線基地局側インターフェイスは、該移動局用のベアラの設定要求信号を含む所定信号を、前記無線基地局に対して送信するように構成されており、
前記無線基地局側インターフェイスが、前記無線基地局から、該無線基地局と前記リレーノードとの間の第２無線区間における第２無線ベアラの設定要求信号を介して、前記移動局用のベアラの設定要求信号に対する該移動局用のベアラの設定受付信号を受信した場合に、前記移動局側インターフェイスは、該移動局に対して、該移動局と該リレーノードとの間の第１無線区間における第１無線ベアラの設定要求信号を送信するように構成されており、
前記移動局側インターフェイスが、前記移動局から、前記第１無線ベアラの設定要求信号に対する前記第１無線ベアラの設定完了信号を受信した場合に、前記管理部は、前記第１無線区間における該移動局用のベアラの識別情報と該移動局の識別情報と該第１無線ベアラの識別情報とによって特定される該第１無線ベアラと、前記第２無線区間における該移動局用のベアラの識別情報と該リレーノードの識別情報と前記第２無線ベアラの識別情報とによって特定される該第２無線ベアラとを関連付けるコンテキスト情報を生成して記憶すると共に、前記無線基地局側インターフェイスは、前記無線基地局に対して、該第２無線ベアラの設定完了信号を送信するように構成されていることを特徴とするリレーノード。
【請求項２８】
リレーノードであって、
移動局との間のインターフェイスとして機能する移動局側インターフェイスと、
無線基地局との間のインターフェイスとして機能する無線基地局側インターフェイスと、
コンテキスト情報を管理するように構成されている管理部とを具備し、
前記移動局側インターフェイスが、前記移動局から、該移動局と交換局との間における該移動局用のベアラの設定要求信号を受信した場合に、前記無線基地局側インターフェイスは、前記無線基地局から、該移動局の識別情報を取得すると共に、該移動局用のベアラの設定要求信号を含む所定信号を、該無線基地局に対して送信するように構成されており、
前記無線基地局側インターフェイスが、前記無線基地局から、該無線基地局と前記リレーノードとの間の第２無線区間における第２無線ベアラの設定要求信号を介して、前記移動局用のベアラの設定要求信号に対する該移動局用のベアラの設定受付信号を受信した場合に、前記移動局側インターフェイスは、該移動局に対して、該移動局と該リレーノードとの間の第１無線区間における第１無線ベアラの設定要求信号を送信するように構成されており、
前記移動局側インターフェイスが、前記移動局から、前記第１無線ベアラの設定要求信号に対する前記第１無線ベアラの設定完了信号を受信した場合に、前記管理部は、前記第１無線区間における該移動局用のベアラの識別情報と該移動局の識別情報と該第１無線ベアラの識別情報とによって特定される該第１無線ベアラと、前記第２無線区間における該移動局用のベアラの識別情報と該移動局の識別情報と前記第２無線ベアラの識別情報とによって特定される該第２無線ベアラとを関連付けるコンテキスト情報を生成して記憶すると共に、前記無線基地局側インターフェイスは、前記無線基地局に対して、該第２無線ベアラの設定完了信号を送信するように構成されていることを特徴とするリレーノード。
【請求項２９】
前記無線基地局側インターフェイスは、前記無線基地局に対して、前記リレーノードにおいて同時に復号可能な移動局の識別情報の数を通知するように構成されていることを特徴とする請求項２７又は２８に記載のリレーノード。
【請求項３０】
前記無線基地局側インターフェイスは、前記第２無線区間で、前記交換局との間でベアラを設定している前記リレーノード配下の移動局の数よりも多くの数の各ＱｏＳ用の第２無線ベアラを予め設定しておくように構成されていることを特徴とする請求項２７又は２８に記載のリレーノード。
【請求項３１】
無線基地局であって、
リレーノードとの間のインターフェイスとして機能するリレーノード側インターフェイスと、
交換局との間のインターフェイスとして機能する交換局側インターフェイスと、
コンテキスト情報を管理するように構成されている管理部と、
判定部とを具備し、
前記リレーノード側インターフェイスが、前記リレーノードから、所定信号を受信した場合に、前記判定部は、該所定信号内に上位レイヤ信号として含まれている信号が前記リレーノードに接続されている前記移動局から送信された前記移動局用のベアラの設定要求信号であるか否かについて判定するように構成されており、
前記判定部によって、前記所定信号内に上位レイヤ信号として含まれている信号が前記リレーノードに接続されている前記移動局から送信された前記移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を介して、該移動局用のベアラの設定受付信号を前記リレーノードに対して送信するように構成されており、
前記リレーノード側インターフェイスが、前記リレーノードから、前記第２無線ベアラの設定要求信号に対する該第２無線ベアラの設定完了信号を受信した場合に、前記管理部は、前記第２無線区間における前記移動局用のベアラの識別情報と該リレーノードの識別情報と前記第２無線ベアラの識別情報とによって特定される該第２無線ベアラと、前記無線基地局と前記交換局との間のベアラとを関連付けるコンテキスト情報を生成して記憶するように構成されていることを特徴とする無線基地局。
【請求項３２】
無線基地局であって、
リレーノードとの間のインターフェイスとして機能するリレーノード側インターフェイスと、
交換局との間のインターフェイスとして機能する交換局側インターフェイスと、
コンテキスト情報を管理するように構成されている管理部と、
判定部とを具備し、
前記リレーノード側インターフェイスが、前記リレーノードから、所定信号を受信した場合に、前記判定部は、受信した該所定信号内に上位レイヤ信号として含まれている信号が前記リレーノードに接続されている前記移動局から送信された前記移動局用のベアラの設定要求信号であるか否かについて判定するように構成されており、
前記判定部によって、前記所定信号内に上位レイヤ信号として含まれている信号が前記リレーノードに接続されている前記移動局から送信された前記移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を送信するように構成されており、
前記リレーノード側インターフェイスが、前記リレーノードから、前記第２無線ベアラの設定要求信号に対する該第２無線ベアラの設定要求信号を受信した場合に、前記管理部は、前記第２無線区間における前記移動局用のベアラの識別情報と該リレーノードの識別情報と前記第２無線ベアラの識別情報とによって特定される該第２無線ベアラと、前記無線基地局と前記交換局との間のベアラとを関連付けるコンテキスト情報を生成して記憶すると共に、前記リレーノードに対して前記移動局用のベアラの設定受付信号を送信するように構成されていることを特徴とする無線基地局。
【請求項３３】
無線基地局であって、
リレーノードとの間のインターフェイスとして機能するリレーノード側インターフェイスと、
交換局との間のインターフェイスとして機能する交換局側インターフェイスと、
コンテキスト情報を管理するように構成されている管理部と、
判定部とを具備し、
前記リレーノード側インターフェイスは、前記リレーノードからの要求に応じて、移動局の識別情報を通知するように構成されており、
前記リレーノード側インターフェイスが、前記リレーノードから、所定信号を受信した場合に、前記判定部は、受信した該所定信号内に上位レイヤ信号として含まれている信号が前記リレーノードに接続されている前記移動局から送信された前記移動局用のベアラの設定要求信号であるか否かについて判定するように構成されており、
前記判定部によって、前記所定信号内に上位レイヤ信号として含まれている信号が前記リレーノードに接続されている前記移動局から送信された前記移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を介して、該移動局用のベアラの設定受付信号を前記リレーノードに対して送信するように構成されており、
前記リレーノード側インターフェイスが、前記リレーノードから、前記第２無線ベアラの設定要求信号に対する該第２無線ベアラの設定完了信号を受信した場合に、前記管理部は、前記第２無線区間における前記移動局用のベアラの識別情報と該移動局の識別情報と前記第２無線ベアラの識別情報とによって特定される該第２無線ベアラと、前記無線基地局と前記交換局との間のベアラとを関連付けるコンテキスト情報を生成して記憶するように構成されていることを特徴とする無線基地局。
【請求項３４】
無線基地局であって、
リレーノードとの間のインターフェイスとして機能するリレーノード側インターフェイスと、
交換局との間のインターフェイスとして機能する交換局側インターフェイスと、
コンテキスト情報を管理するように構成されている管理部と、
判定部とを具備し、
前記リレーノード側インターフェイスは、前記リレーノードからの要求に応じて、移動局の識別情報を通知するように構成されており、
前記リレーノード側インターフェイスが、前記リレーノードから、所定信号を受信した場合に、前記判定部は、受信した該該所定信号内に上位レイヤ信号として含まれている信号が前記リレーノードに接続されている前記移動局から送信された前記移動局用のベアラの設定要求信号であるか否かについて判定するように構成されており、
前記判定部によって、前記所定信号内に上位レイヤ信号として含まれている信号が前記リレーノードに接続されている前記移動局から送信された前記移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を送信するように構成されており、
前記リレーノード側インターフェイスが、前記リレーノードから、前記第２無線ベアラの設定要求信号に対する該第２無線ベアラの設定要求信号を受信した場合に、前記管理部は、前記第２無線区間における前記移動局用のベアラの識別情報と該移動局の識別情報と前記第２無線ベアラの識別情報とによって特定される該第２無線ベアラと、前記無線基地局と前記交換局との間のベアラとを関連付けるコンテキスト情報を生成して記憶すると共に、前記リレーノードに対して前記移動局用のベアラの設定受付信号を送信するように構成されていることを特徴とする無線基地局。
【請求項３５】
前記リレーノード側インターフェイスは、前記リレーノードにおいて同時に復号可能な移動局の識別情報の数を取得するように構成されており、
各タイムスロットで多重する前記リレーノード配下の移動局の数が、該リレーノードにおいて同時に復号可能な移動局の識別情報の数以下になるようにスケジューリング処理を行うように構成されているスケジューリング処理部を更に具備することを特徴とする請求項３１乃至３４のいずれか一項に記載の無線基地局。
【請求項３６】
前記リレーノード側インターフェイスは、前記第２無線区間で、前記交換局との間でベアラを設定している前記リレーノード配下の移動局の数よりも多くの数の各ＱｏＳ用の第２無線ベアラを予め設定しておくように構成されていることを特徴とする請求項３３又は３４に記載の無線基地局。
【発明の詳細な説明】
【技術分野】
【０００１】
本発明は、移動通信方法、リレーノード及び無線基地局に関する。
【背景技術】
【０００２】
ＬＴＥ方式の後継の通信方式であるＬＴＥ-Ａｄｖａｎｃｅｄ方式の移動通信システムでは、移動局ＵＥと無線基地局ＤｅＮＢとの間に、無線基地局ＤｅＮＢと同様な機能を具備する「リレーノード（Ｒｅｌａｙ  Ｎｏｄｅ）ＲＮ」を接続することができる。
【０００３】
図１に示すように、かかるＬＴＥ-Ａｄｖａｎｃｅｄ方式の移動通信システムでは、Ｕプレーン用ベアラとして、移動局ＵＥと交換局ＭＭＥとの間で、Ｅ-ＲＡＢ（Ｅ-ＵＴＲＡＮ  Ｒａｄｉｏ  Ａｃｃｅｓｓ  Ｂｅａｒｅｒ、移動局ＵＥ用のベアラ）が設定され、移動局ＵＥとリレーノードＲＮとの間で、Ｕｕ無線ベアラ（第１無線ベアラ）が設定され、リレーノードＲＮと無線基地局ＤｅＮＢとの間で、Ｕｎ無線ベアラ（第２無線ベアラ）が設定され、無線基地局ＤｅＮＢと交換局ＭＭＥとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【発明の概要】
【発明が解決しようとする課題】
【０００５】
しかしながら、現時点では、ＬＴＥ-Ａｄｖａｎｃｅｄ方式の移動通信システムにおいて、Ｅ-ＲＡＢとＵｕ無線ベアラとＵｎ無線ベアラとＳ１ベアラとを、どのようにマッピングすべきかについて規定されていないという問題点があった。
【０００６】
そこで、本発明は、上述の課題に鑑みてなされたものであり、Ｅ-ＲＡＢとＵｕ無線ベアラとＵｎ無線ベアラとＳ１ベアラとを適切にマッピングすることができる移動通信方法、リレーノード及び無線基地局を提供することを目的とする。
【課題を解決するための手段】
【０００７】
本発明の第１の特徴は、移動通信方法であって、移動局と交換局との間で該移動局用のベアラを設定する際に、該移動局とリレーノードとの間の第１無線区間で第１無線ベアラを設定すると共に、該リレーノードと無線基地局との間の第２無線区間で第２無線ベアラを設定する工程を有し、前記工程において、前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該リレーノードの識別情報と前記第２無線ベアラの識別情報とによって特定される該第２無線ベアラとを関連付ける第１コンテキスト情報を生成して記憶し、前記無線基地局は、前記第２無線区間における前記移動局用のベアラの識別情報と該リレーノードの識別情報と前記第２無線ベアラの識別情報とによって特定される該第２無線ベアラと、該無線基地局と前記交換局との間のベアラとを関連付ける第２コンテキスト情報を生成して記憶することを要旨とする。
【０００８】
本発明の第２の特徴は、移動通信方法であって、移動局と交換局との間で該移動局用のベアラを設定する際に、リレーノードと無線基地局との間の第２無線区間で第２無線ベアラを設定した後に、該移動局と該リレーノードとの間の第１無線区間で第１無線ベアラを設定する工程を有し、前記工程において、前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該リレーノードの識別情報と前記第２無線ベアラの識別情報とによって特定される該第２無線ベアラとを関連付ける第１コンテキスト情報を生成して記憶し、前記無線基地局は、前記第２無線区間における前記移動局用のベアラの識別情報と該リレーノードの識別情報と前記第２無線ベアラの識別情報とによって特定される該第２無線ベアラと、該無線基地局と前記交換局との間のベアラとを関連付ける第２コンテキスト情報を生成して記憶することを要旨とする。
【０００９】
本発明の第３の特徴は、移動通信方法であって、移動局と交換局との間で該移動局用のベアラを設定する際に、リレーノードが無線基地局から該移動局の識別情報を取得し、該移動局と該リレーノードとの間の第１無線区間で第１無線ベアラを設定すると共に、該リレーノードと該無線基地局との間の第２無線区間で第２無線ベアラを設定する工程を有し、前記工程において、前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該移動局の識別情報と前記第２無線ベアラの識別情報とによって特定される該第２無線ベアラとを関連付ける第１コンテキスト情報を生成して記憶し、前記無線基地局は、前記第２無線区間における前記移動局用のベアラの識別情報と該移動局の識別情報と前記第２無線ベアラの識別情報とによって特定される該第２無線ベアラと、該無線基地局と前記交換局との間のベアラとを関連付ける第２コンテキスト情報を生成して記憶することを要旨とする。
【００１０】
本発明の第４の特徴は、移動通信方法であって、移動局と交換局との間で該移動局用のベアラを設定する際に、リレーノードが無線基地局から該移動局の識別情報を取得し、該リレーノードと該無線基地局との間の第２無線区間で第２無線ベアラを設定した後に、該移動局と該リレーノードとの間の第１無線区間で第１無線ベアラを設定する工程を有し、前記工程において、前記リレーノードは、前記第１無線区間における前記移動局用のベアラの識別情報と該移動局の識別情報と前記第１無線ベアラの識別情報とによって特定される該第１無線ベアラと、前記第２無線区間における前記移動局用のベアラの識別情報と該移動局の識別情報と前記第２無線ベアラの識別情報とによって特定される該第２無線ベアラとを関連付ける第１コンテキスト情報を生成して記憶し、  前記無線基地局は、前記第２無線区間における前記移動局用のベアラの識別情報と該移動局の識別情報と前記第２無線ベアラの識別情報とによって特定される該第２無線ベアラと、該無線基地局と前記交換局との間のベアラとを関連付ける第２コンテキスト情報を生成して記憶することを要旨とする。
【００１１】
本発明の第５の特徴は、移動通信方法であって、  リレーノードと無線基地局との間の第２無線区間で、交換局との間でベアラを設定しているリレーノード配下の移動局の数よりも多くの数の各ＱｏＳ用の第２無線ベアラを予め設定する工程Ａと、移動局と前記交換局との間で、所定ＱｏＳの通信を行うための該移動局用のベアラを設定する際に、該移動局と前記リレーノードとの間の第１無線区間で、該所定ＱｏＳ用の第１無線ベアラを設定する工程Ｂとを有し、前記工程Ｂにおいて、前記リレーノードは、前記所定ＱｏＳ用の第１無線ベアラと、前記所定ＱｏＳ用の第２無線ベアラとを関連付ける第１コンテキスト情報を生成して記憶し、前記無線基地局が、前記所定ＱｏＳ用の第２無線ベアラと、該無線基地局と前記交換局との間のベアラとを関連付ける第２コンテキスト情報を生成して記憶することを要旨とする。
【００１２】
本発明の第６の特徴は、リレーノードであって、移動局との間のインターフェイスとして機能する移動局側インターフェイスと、無線基地局との間のインターフェイスとして機能する無線基地局側インターフェイスと、コンテキスト情報を管理するように構成されている管理部とを具備し、前記移動局側インターフェイスが、前記移動局から、該移動局と交換局との間における該移動局用のベアラの設定要求信号を受信した場合に、前記無線基地局側インターフェイスは、該移動局用のベアラの設定要求信号を含む所定信号を、前記無線基地局に対して送信するように構成されており、前記無線基地局側インターフェイスが、前記無線基地局から、該無線基地局と前記リレーノードとの間の第２無線区間における第２無線ベアラの設定要求信号を介して、前記移動局用のベアラの設定要求信号に対する該移動局用のベアラの設定受付信号を受信した場合に、前記移動局側インターフェイスは、該移動局に対して、該移動局と該リレーノードとの間の第１無線区間における第１無線ベアラの設定要求信号を送信するように構成されており、前記移動局側インターフェイスが、前記移動局から、前記第１無線ベアラの設定要求信号に対する前記第１無線ベアラの設定完了信号を受信した場合に、前記管理部は、前記第１無線区間における該移動局用のベアラの識別情報と該移動局の識別情報と該第１無線ベアラの識別情報とによって特定される該第１無線ベアラと、前記第２無線区間における該移動局用のベアラの識別情報と該リレーノードの識別情報と前記第２無線ベアラの識別情報とによって特定される該第２無線ベアラとを関連付けるコンテキスト情報を生成して記憶すると共に、前記無線基地局側インターフェイスは、前記無線基地局に対して、該第２無線ベアラの設定完了信号を送信するように構成されていることを要旨とする。
【００１３】
本発明の第７の特徴は、リレーノードであって、移動局との間のインターフェイスとして機能する移動局側インターフェイスと、無線基地局との間のインターフェイスとして機能する無線基地局側インターフェイスと、コンテキスト情報を管理するように構成されている管理部とを具備し、前記移動局側インターフェイスが、前記移動局から、該移動局と交換局との間における該移動局用のベアラの設定要求信号を受信した場合に、前記無線基地局側インターフェイスは、前記無線基地局から、該移動局の識別情報を取得すると共に、該移動局用のベアラの設定要求信号を含む所定信号を、該無線基地局に対して送信するように構成されており、前記無線基地局側インターフェイスが、前記無線基地局から、該無線基地局と前記リレーノードとの間の第２無線区間における第２無線ベアラの設定要求信号を介して、前記移動局用のベアラの設定要求信号に対する該移動局用のベアラの設定受付信号を受信した場合に、前記移動局側インターフェイスは、該移動局に対して、該移動局と該リレーノードとの間の第１無線区間における第１無線ベアラの設定要求信号を送信するように構成されており、前記移動局側インターフェイスが、前記移動局から、前記第１無線ベアラの設定要求信号に対する前記第１無線ベアラの設定完了信号を受信した場合に、前記管理部は、前記第１無線区間における該移動局用のベアラの識別情報と該移動局の識別情報と該第１無線ベアラの識別情報とによって特定される該第１無線ベアラと、前記第２無線区間における該移動局用のベアラの識別情報と該移動局の識別情報と前記第２無線ベアラの識別情報とによって特定される該第２無線ベアラとを関連付けるコンテキスト情報を生成して記憶すると共に、前記無線基地局側インターフェイスは、前記無線基地局に対して、該第２無線ベアラの設定完了信号を送信するように構成されていることを要旨とする。
【００１４】
本発明の第８の特徴は、無線基地局であって、リレーノードとの間のインターフェイスとして機能するリレーノード側インターフェイスと、交換局との間のインターフェイスとして機能する交換局側インターフェイスと、コンテキスト情報を管理するように構成されている管理部と、判定部とを具備し、前記リレーノード側インターフェイスが、前記リレーノードから、所定信号を受信した場合に、前記判定部は、受信した該所定信号内に上位レイヤ信号として含まれている信号が、該リレーノードに接続されている移動局から送信された該移動局と前記交換局との間における該移動局用のベアラの設定要求信号であるか否かについて判定するように構成されており、前記判定部によって、前記所定信号内に上位レイヤ信号として含まれている信号が、前記リレーノードに接続されている前記移動局から送信された該移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を介して、該移動局用のベアラの設定受付信号を前記リレーノードに対して送信するように構成されており、前記リレーノード側インターフェイスが、前記リレーノードから、前記第２無線ベアラの設定要求信号に対する該第２無線ベアラの設定完了信号を受信した場合に、前記管理部は、前記第２無線区間における前記移動局用のベアラの識別情報と該リレーノードの識別情報と前記第２無線ベアラの識別情報とによって特定される該第２無線ベアラと、前記無線基地局と前記交換局との間のベアラとを関連付けるコンテキスト情報を生成して記憶するように構成されていることを要旨とする。
【００１５】
本発明の第９の特徴は、無線基地局であって、リレーノードとの間のインターフェイスとして機能するリレーノード側インターフェイスと、交換局との間のインターフェイスとして機能する交換局側インターフェイスと、コンテキスト情報を管理するように構成されている管理部と、判定部とを具備し、前記リレーノード側インターフェイスが、前記リレーノードから、所定信号を受信した場合に、前記判定部は、受信した該所定信号内に上位レイヤ信号として含まれている信号が、該リレーノードに接続されている移動局から送信された該移動局と前記交換局との間における該移動局用のベアラの設定要求信号であるか否かについて判定するように構成されており、前記判定部によって、前記所定信号内に上位レイヤ信号として含まれている信号が、前記リレーノードに接続されている前記移動局から送信された該移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を送信するように構成されており、前記リレーノード側インターフェイスが、前記リレーノードから、前記第２無線ベアラの設定要求信号に対する該第２無線ベアラの設定要求信号を受信した場合に、前記管理部は、前記第２無線区間における前記移動局用のベアラの識別情報と該リレーノードの識別情報と前記第２無線ベアラの識別情報とによって特定される該第２無線ベアラと、前記無線基地局と前記交換局との間のベアラとを関連付けるコンテキスト情報を生成して記憶すると共に、前記リレーノードに対して前記移動局用のベアラの設定受付信号を送信するように構成されていることを要旨とする。
【００１６】
本発明の第１０の特徴は、無線基地局であって、リレーノードとの間のインターフェイスとして機能するリレーノード側インターフェイスと、交換局との間のインターフェイスとして機能する交換局側インターフェイスと、コンテキスト情報を管理するように構成されている管理部と、判定部とを具備し、前記リレーノード側インターフェイスは、前記リレーノードからの要求に応じて、移動局の識別情報を通知するように構成されており、前記リレーノード側インターフェイスが、前記リレーノードから、所定信号を受信した場合に、前記判定部は、受信した該所定信号内に上位レイヤ信号として含まれている信号が、該リレーノードに接続されている移動局から送信された該移動局と前記交換局との間における該移動局用のベアラの設定要求信号であるか否かについて判定するように構成されており、前記判定部によって、前記所定信号内に上位レイヤ信号として含まれている信号が、前記リレーノードに接続されている前記移動局から送信された該移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を介して、該移動局用のベアラの設定受付信号を前記リレーノードに対して送信するように構成されており、前記リレーノード側インターフェイスが、前記リレーノードから、前記第２無線ベアラの設定要求信号に対する該第２無線ベアラの設定完了信号を受信した場合に、前記管理部は、前記第２無線区間における前記移動局用のベアラの識別情報と該移動局の識別情報と前記第２無線ベアラの識別情報とによって特定される該第２無線ベアラと、前記無線基地局と前記交換局との間のベアラとを関連付けるコンテキスト情報を生成して記憶するように構成されていることを要旨とする。
【００１７】
本発明の第１１の特徴は、無線基地局であって、リレーノードとの間のインターフェイスとして機能するリレーノード側インターフェイスと、交換局との間のインターフェイスとして機能する交換局側インターフェイスと、コンテキスト情報を管理するように構成されている管理部と、判定部とを具備し、前記リレーノード側インターフェイスは、前記リレーノードからの要求に応じて、移動局の識別情報を通知するように構成されており、前記リレーノード側インターフェイスが、前記リレーノードから、所定信号を受信した場合に、前記判定部は、受信した該所定信号内に上位レイヤ信号として含まれている信号が、該リレーノードに接続されている移動局から送信された該移動局と前記交換局との間における該移動局用のベアラの設定要求信号であるか否かについて判定するように構成されており、前記判定部によって、前記所定信号内に上位レイヤ信号として含まれている信号が、前記リレーノードに接続されている前記移動局から送信された該移動局用のベアラの設定要求信号であると判定された場合で、かつ、前記交換局側インターフェイスが、前記交換局から、前記移動局用のベアラの設定要求信号に対する該移動局用のベアラの設定受付信号を受信した場合に、前記リレーノード側インターフェイスは、前記リレーノードと前記無線基地局との間の第２無線区間における第２無線ベアラの設定要求信号を送信するように構成されており、前記リレーノード側インターフェイスが、前記リレーノードから、前記第２無線ベアラの設定要求信号に対する該第２無線ベアラの設定要求信号を受信した場合に、前記管理部は、前記第２無線区間における前記移動局用のベアラの識別情報と該移動局の識別情報と前記第２無線ベアラの識別情報とによって特定される該第２無線ベアラと、前記無線基地局と前記交換局との間のベアラとを関連付けるコンテキスト情報を生成して記憶すると共に、前記リレーノードに対して前記移動局用のベアラの設定受付信号を送信するように構成されていることを要旨とする。
【発明の効果】
【００１８】
以上説明したように、本発明によれば、Ｅ-ＲＡＢとＵｕ無線ベアラとＵｎ無線ベアラとＳ１ベアラとを適切にマッピングすることができる移動通信方法、リレーノード及び無線基地局を提供することができる。
【図面の簡単な説明】
【００１９】
【図１】本発明の第１の実施形態に係る移動通信システムの全体構成図である。
【図２】本発明の第１の実施形態に係る移動通信システムにおいて設定されているＵｕ無線ベアラ及びＵｎ無線ベアラについて説明するための図である。
【図３】本発明の第１の実施形態に係る移動通信システム内の無線基地局ＤｅＮＢ及びリレーノードＲＮの機能ブロック図である。
【図４】本発明の第１の実施形態に係る移動通信システムにおいてＵｎ無線ベアラを設定する動作を示すシーケンス図である。
【図５】本発明の第１の実施形態の変更例１に係る移動通信システムにおいてＵｎ無線ベアラを設定する動作を示すシーケンス図である。
【図６】本発明の第１の実施形態の変更例２に係る移動通信システムにおいてＵｎ無線ベアラを設定する動作を示すシーケンス図である。
【図７】本発明の第２の実施形態に係る移動通信システムにおいて設定されているＵｕ無線ベアラ及びＵｎ無線ベアラについて説明するための図である。
【図８】本発明の第２の実施形態に係る移動通信システムにおいてＵｎ無線ベアラを設定する動作を示すシーケンス図である。
【図９】本発明の第２の実施形態の変更例１に係る移動通信システムにおいてＵｎ無線ベアラを設定する動作を示すシーケンス図である。
【図１０】本発明の第３の実施形態に係る移動通信システムにおけるリレーノードの起動動作を示すシーケンス図である。
【図１１】本発明の第４の実施形態に係る移動通信システムにおいて設定されているＵｕ無線ベアラ及びＵｎ無線ベアラについて説明するための図である。
【図１２】本発明の第４の実施形態に係る移動通信システムにおいてＵｎ無線ベアラを設定する動作を示すシーケンス図である。
【図１３】本発明の第４の実施形態の変更例１に係る移動通信システムにおいてＵｎ無線ベアラを設定する動作を示すシーケンス図である。
【図１４】本発明の第４の実施形態の変更例２に係る移動通信システムにおいてＵｎ無線ベアラを設定する動作を示すシーケンス図である。
【発明を実施するための形態】
【００２０】
（本発明の第１の実施形態に係る移動通信システム）
図１乃至４を参照して、本発明の第１の実施形態に係る移動通信システムについて説明する。
【００２１】
本発明の第１の実施形態に係る移動通信システムは、ＬＴＥ-Ａｄｖａｎｃｅｄ方式の移動通信システムであって、図１に示すように、Ｕプレーン用ベアラとして、移動局ＵＥと交換局ＭＭＥとの間で、Ｅ-ＲＡＢ（Ｅ-ＵＴＲＡＮ  Ｒａｄｉｏ  Ａｃｃｅｓｓ  Ｂｅａｒｅｒ、移動局ＵＥ用のベアラ）が設定され、移動局ＵＥとリレーノードＲＮとの間の第１無線区間で、Ｕｕ無線ベアラ（第１無線ベアラ）が設定され、リレーノードＲＮと無線基地局ＤｅＮＢとの間の第２無線区間で、Ｕｎ無線ベアラ（第２無線ベアラ）が設定され、無線基地局ＤｅＮＢと交換局ＭＭＥとの間で、Ｓ１ベアラが設定されるように構成されている。
【００２２】
本実施形態に係る移動通信システムでは、具体的には、図２に示すように、Ｅ-ＲＡＢとＵｕ無線ベアラとＵｎ無線ベアラとＳ１ベアラとがマッピングされるように構成されている。
【００２３】
例えば、移動局ＵＥの識別情報（ＣＲＮＴＩ（ＵＥ＃ｎ））と第１無線区間における移動局ＵＥのＥ-ＲＡＢの識別情報（Ｅ-ＲＡＢ＃２）とＵｕ無線ベアラの識別情報（ＤＲＢ＃２）とによって特定されるＵｕ無線ベアラは、リレーノードＲＮの識別情報（ＣＲＮＴＩ（ＲＮ））と第２無線区間における移動局ＵＥのＥ-ＲＡＢの識別情報（Ｅ-ＲＡＢ＃ｍ）とＵｎ無線ベアラの識別情報（ＤＲＢ＃ｍ）とによって特定されるＵｎ無線ベアラにマッピングされるように構成されている。
【００２４】
なお、図２の例では、第１無線区間において使用可能な移動局ＵＥのＥ-ＲＡＢの識別情報の数及びＵｕ無線ベアラの識別情報の数は「３」であり、第２無線区間において使用可能な移動局ＵＥのＥ-ＲＡＢの識別情報の数及びＵｎ無線ベアラの識別情報の数は「ｍ＋１」である。
【００２５】
また、第２無線区間における移動局ＵＥ用のＥ-ＲＡＢの識別情報（Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定されるＵｎ無線ベアラは、ＴＥＩＤ＃ｍによって特定されるＳ１ベアラにマッピングされるように構成されている。
【００２６】
図３（ａ）に示すように、無線基地局ＤｅＮＢは、ＲＮ側インターフェイス１２と、ＭＭＥ側インターフェイス１１と、ＵＥコンテキスト管理部１４と、判定部１３とを具備している。
【００２７】
ＲＮ側インターフェイス１２は、リレーノードＲＮとの間のインターフェイスとして機能し、ＭＭＥ側インターフェイス１１は、交換局ＭＭＥとの間のインターフェイスとして機能する。
【００２８】
判定部１３は、リレーノードＲＮから受信した「Ｉｎｉｔｉａｌ  ＵＥ  Ｍｅｓｓａｇｅ（所定信号）」内の「ＮＡＳ（Ｎｏｎ  Ａｃｃｅｓｓ  Ｓｔｒａｔｕｍ）信号（上位レイヤ信号）」として伝送された「Ａｔｔａｃｈ  Ｒｅｑｕｅｓｔ」若しくは「Ｓｅｒｖｉｃｅ  Ｒｅｑｕｅｓｔ」（移動局ＵＥ用のＥ-ＲＡＢの設定要求信号）が、リレーノードＲＮに接続している移動局ＵＥから送信された信号か否かについて判定するように構成されている。
【００２９】
具体的には、判定部１３は、リレーノードＲＮから受信した「Ｉｎｉｔｉａｌ  ＵＥ  Ｍｅｓｓａｇｅ」が「ＲＲＣ  ＵＬ  Ｉｎｆｏｒｍａｔｉｏｎ  Ｔｒａｎｓｆｅｒ  Ｍｅｓｓａｇｅ」のＮＡＳ信号として送信され、かつ、「ＲＲＣ  ＵＬ  Ｉｎｆｏｒｍａｔｉｏｎ  Ｔｒａｎｓｆｅｒ  Ｍｅｓｓａｇｅ」内に所定のフラグが設定されている場合に、「Ｉｎｉｔｉａｌ  ＵＥ  Ｍｅｓｓａｇｅ」内の「Ａｔｔａｃｈ  Ｒｅｑｕｅｓｔ」若しくは「Ｓｅｒｖｉｃｅ  Ｒｅｑｕｅｓｔ」が、リレーノードＲＮに接続している移動局ＵＥから送信された信号であると判定してもよい。
【００３０】
また、判定部１３は、リレーノードＲＮから受信した「Ｉｎｉｔｉａｌ  ＵＥ  Ｍｅｓｓａｇｅ」内に含まれているＮＡＳ信号内に「Ｃａｕｓｅ：ＵＥ  ｏｒｉｇｉｎａｔｅｄ  Ｓｉｇｎａｌｉｎｇ（所定情報）」が含まれている場合に、「Ｉｎｉｔｉａｌ  ＵＥ  Ｍｅｓｓａｇｅ」内の「Ａｔｔａｃｈ  Ｒｅｑｕｅｓｔ」若しくは「Ｓｅｒｖｉｃｅ  Ｒｅｑｕｅｓｔ」が、リレーノードＲＮに接続している移動局ＵＥから送信された信号であると判定してもよい。
【００３１】
また、ＵＥコンテキスト管理部１４は、ＵＥコンテキスト（第２コンテキスト情報）を管理するように構成されている。
【００３２】
具体的には、ＵＥコンテキスト管理部１４は、移動局ＵＥ用のＵＥコンテキストとして、交換局ＭＭＥと無線基地局ＤｅＮＢとの間で設定された移動局ＵＥ用のＳ１ベアラと、無線基地局ＤｅＮＢとリレーノードＲＮとの間の第２無線区間で設定された移動局ＵＥ用のＵｎ無線ベアラとをマッピングするための情報を管理するように構成されている。
【００３３】
図３（ｂ）に示すように、リレーノードＲＮは、ＵＥ側インターフェイス２１と、ＤｅＮＢ側インターフェイス２２と、ＵＥコンテキスト管理部２３とを具備している。
【００３４】
ＵＥ側インターフェイス２１は、移動局ＵＥとの間のインターフェイスとして機能し、無線基地局ＤｅＮＢとの間のインターフェイスとして機能する。
【００３５】
また、ＵＥコンテキスト管理部２３は、ＵＥコンテキスト（第１コンテキスト情報）を管理するように構成されている。
【００３６】
なお、本実施形態に係る移動通信システムでは、移動局ＵＥと交換局ＭＭＥとの間で移動局ＵＥ用のＥ-ＲＡＢ（ベアラ）を設定する際に、移動局ＵＥとリレーノードＲＮとの間の第１無線区間でＵｕ無線ベアラを設定すると共に、リレーノードＲＮと無線基地局ＤｅＮＢとの間の第２無線区間でＵｎ無線ベアラを設定するように構成されている。
【００３７】
次に、図４を参照して、本実施形態に係る移動通信システムにおいて、移動局ＵＥのＵプレーン用ベアラを設定する動作について説明する。
【００３８】
図４に示すように、ステップＳ１００１において、移動局ＵＥは、リレーノードＲＮに対して「ＲＡＣＨ  ｐｒｅａｍｂｌｅ」を送信し、ステップＳ１００２において、リレーノードＲＮは、受信した「ＲＡＣＨ  ｐｒｅａｍｂｌｅ」に応じて、移動局ＵＥに対して「ＲＡＣＨ  ｒｅｓｐｏｎｓｅ」を送信する。
【００３９】
ステップＳ１００３において、移動局ＵＥは、リレーノードＲＮに対して「ＲＲＣ  Ｃｏｎｎｅｃｔｉｏｎ  Ｒｅｑｕｅｓｔ」を送信し、ステップＳ１００４において、リレーノードＲＮは、受信した「ＲＲＣ  Ｃｏｎｎｅｃｔｉｏｎ  Ｒｅｑｕｅｓｔ」に応じて、移動局ＵＥに対して「ＲＲＣ  Ｃｏｎｎｅｃｔｉｏｎ  Ｓｅｔｕｐ」を送信する。
【００４０】
ステップＳ１００５において、移動局ＵＥは、リレーノードＲＮに対して、「Ａｔｔａｃｈ  Ｒｅｑｕｅｓｔ（移動局ＵＥ用のＥ-ＲＡＢの設定要求信号）」を含む「ＲＲＣ  Ｃｏｎｎｅｃｔｉｏｎ  Ｓｅｔｕｐ  Ｃｏｍｐｌｅｔｅ」を送信する。この結果、移動局ＵＥとリレーノードＲＮとの間の第１無線区間でＳＲＢ１（シグナリング無線ベアラ１）が確立される。
【００４１】
ここで、「Ａｔｔａｃｈ  Ｒｅｑｕｅｓｔ」は、交換局ＭＭＥに対して移動局ＵＥ用のＥ-ＲＡＢの設定を要求するためのＮＡＳ信号である。
【００４２】
ステップＳ１００６において、リレーノードＲＮは、リレーノードＲＮ用として設定されている制御信号を伝送するためのＳＲＢ（シグナリング無線ベアラ）を介して、無線基地局ＤｅＮＢに対して、情報要素「ＲＲＣ  ＵＬ  Ｉｎｆｏｒｍａｔｉｏｎ  Ｔｒａｎｓｆｅｒ」を用いて、「Ａｔｔａｃｈ  Ｒｅｑｕｅｓｔ」を含む「Ｉｎｉｔｉａｌ  ＵＥ  Ｍｅｓｓａｇｅ」を送信する。
【００４３】
ステップＳ１００７において、無線基地局ＤｅＮＢは、交換局ＭＭＥに対して、かかる「Ｉｎｉｔｉａｌ  ＵＥ  Ｍｅｓｓａｇｅ」を送信し、ステップＳ１００８において、移動局ＵＥと交換局ＭＭＥとの間で認証処理及びセキュリティ処理が行われた後、ステップＳ１００９において、交換局ＭＭＥは、受信した「Ｉｎｉｔｉａｌ  ＵＥ  Ｍｅｓｓａｇｅ」に応じて、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４４】
ステップＳ１０１０において、無線基地局ＤｅＮＢは、リレーノードＲＮに対して「ＲＲＣ  Ｃｏｎｎｃｅｔｉｏｎ  Ｒｅｃｏｎｆｉｇｕｒａｔｉｏｎ」を送信する。
【００４５】
かかる「ＲＲＣ  Ｃｏｎｎｃｅｔｉｏｎ  Ｒｅｃｏｎｆｉｇｕｒａｔｉｏｎ」は、交換局ＭＭＥによって送信された「Ｉｎｉｔｉａｌ  Ｃｏｎｔｅｘｔ  Ｓｅｔｕｐ  Ｒｅｑｕｅｓｔ（Ａｔｔａｃｈ  Ａｃｃｅｐｔ）」を含み、移動局ＵＥ用のＵｎ無線ベアラ（ＵＥ用ＤＲＢ）を設定するように要求する情報要素「ｄｒｂ-ＴｏＡｄｄＭｏｄＬｉｓｔ」を含む移動局ＵＥ用のＵｎ無線ベアラの設定要求信号である。
【００４６】
リレーノードＲＮは、移動局ＵＥに対して、ステップＳ１０１１において、「Ｓｅｃｕｒｉｔｙ  Ｍｏｄｅ  Ｃｏｍｍａｎｄ」を送信し、ステップＳ１０１２において、「ＲＲＣ  Ｃｏｎｎｃｅｔｉｏｎ  Ｒｅｃｏｎｆｉｇｕｒａｔｉｏｎ」を送信する。
【００４７】
かかる「ＲＲＣ  Ｃｏｎｎｃｅｔｉｏｎ  Ｒｅｃｏｎｆｉｇｕｒａｔｉｏｎ」は、移動局ＵＥ用のＵｕ無線ベアラ（ＵＥ用ＤＲＢ）を設定するように要求する情報要素を含む移動局ＵＥ用のＵｕ無線ベアラの設定要求信号である。
【００４８】
移動局ＵＥは、リレーノードＲＮに対して、ステップＳ１０１３において、「Ｓｅｃｕｒｉｔｙ  Ｍｏｄｅ  Ｃｏｍｐｌｅｔｅ」を送信し、ステップＳ１０１４において、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｕ無線ベアラの設定完了信号）」を送信する。
【００４９】
ステップＳ１０１５において、移動局ＵＥ用のＵｕ無線ベアラが確立され、ステップＳ１０１６において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定される移動局ＵＥ用のＵｕ無線ベアラと、第２無線区間における移動局ＵＥ用のＥ-ＲＡＢの識別情報（例えば、Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定される移動局ＵＥ用のＵｎ無線ベアラとを関連付けるＵＥコンテキスト（第１コンテキスト情報）を生成して記憶する。
【００５０】
ステップＳ１０１７において、リレーノードＲＮは、無線基地局ＤｅＮＢに対して「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｎ無線ベアラの設定完了信号）」を送信し、ステップＳ１０１８において、無線基地局ＤｅＮＢは、交換局ＭＭＥに対して、受信した「ＲＲＣ  Ｃｏｎｎｃｅｔｉｏｎ  Ｒｅｃｏｎｆｉｇｕｒａｔｉｏｎ  Ｃｏｍｐｌｅｔｅ」に含まれる「Ｉｎｉｔｉａｌ  Ｃｏｎｔｅｘｔ  Ｓｅｔｕｐ  Ｒｅｓｐｏｎｓｅ」を送信する。
【００５１】
ステップＳ１０１９において、移動局ＵＥ用のＵｎ無線ベアラが確立され、ステップＳ１０２０において、無線基地局ＤｅＮＢは、第２無線区間における移動局ＵＥ用のＥ-ＲＡＢの識別情報（Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定される移動局ＵＥ用のＵｎ無線ベアラと、ＴＥＩＤ（例えば、ＴＥＩＤ＃ｍ）によって特定されるＳ１ベアラとを関連付けるＵＥコンテキスト（第２コンテキスト情報）を生成して記憶する。
【００５２】
ステップＳ１０２１において、移動局ＵＥは、交換局ＭＭＥに対して「Ａｔｔａｃｈ  Ｃｏｍｐｌｅｔｅ」を送信する。
【００５３】
本実施形態に係る移動通信システムによれば、リレーノードＲＮと無線基地局ＤｅＮＢとの間で、新たなＣ-ＲＮＴＩを割り当てることなく、Ｅ-ＲＡＢとＵｕ無線ベアラとＵｎ無線ベアラとＳ１ベアラとを適切にマッピングすることができる。
【００５４】
（本発明の第１の実施形態の変更例１）
図５を参照して、本発明の第１の実施形態の本変更例１について、上述の第１の実施形態との相違点に着目して説明する。以下、図５を参照して、本変更例に係る移動通信システムにおいて、移動局ＵＥのＵプレーン用ベアラを設定する動作について説明する。
【００５５】
図５に示すように、ステップＳ２００１乃至Ｓ２００５の動作は、図４に示すステップＳ１００１乃至Ｓ１００５の動作と同一である。
【００５６】
ステップＳ２００６において、リレーノードＲＮは、リレーノードＲＮ用として設定されているユーザデータを伝送するためのＤＲＢ（データ無線ベアラ）を介して、無線基地局ＤｅＮＢに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００５７】
ステップＳ２００７乃至Ｓ２０２１の動作は、図４に示すステップＳ１００７乃至Ｓ１０２１の動作と同一である。
【００５８】
（本発明の第１の実施形態の変更例２）
図５を参照して、本発明の第１の実施形態の本変更例２について、上述の第１の実施形態との相違点に着目して説明する。以下、図４を参照して、本変更例に係る移動通信システムにおいて、移動局ＵＥのＵプレーン用ベアラを設定する動作について説明する。
【００５９】
ここで、本変更例に係る移動通信システムでは、移動局ＵＥと交換局ＭＭＥとの間で移動局ＵＥ用のＥ-ＲＡＢを設定する際に、リレーノードＲＮと無線基地局ＤｅＮＢとの間の第２無線区間でＵｎ無線ベアラを設定した後に、移動局ＵＥとリレーノードＲＮとの間の第１無線区間でＵｕ無線ベアラを設定するように構成されている。
【００６０】
図６に示すように、ステップＳ３００１乃至Ｓ３００５の動作は、図４に示すステップＳ１００１乃至Ｓ１００５の動作と同一である。
【００６１】
ステップＳ３００６において、リレーノードＲＮは、リレーノードＲＮ用として設定されているユーザデータを伝送するためのＤＲＢ（データ無線ベアラ）を介して、無線基地局ＤｅＮＢに対して、「Ａｔｔａｃｈ  Ｒｅｑｕｅｓｔ」を含む「Ｉｎｉｔｉａｌ  ＵＥ  Ｍｅｓｓａｇｅ」を送信する。
【００６２】
ステップＳ３００７乃至Ｓ３００９の動作は、図４に示すステップＳ１００７乃至Ｓ１００９の動作と同一である。
【００６３】
ステップＳ３０１０において、無線基地局ＤｅＮＢは、リレーノードＲＮに対して「ＲＲＣ  Ｃｏｎｎｃｅｔｉｏｎ  Ｒｅｃｏｎｆｉｇｕｒａｔｉｏｎ」を送信する。
【００６４】
かかる「ＲＲＣ  Ｃｏｎｎｃｅｔｉｏｎ  Ｒｅｃｏｎｆｉｇｕｒａｔｉｏｎ」は、移動局ＵＥ用のＵｎ無線ベアラ（ＵＥ用ＤＲＢ）を設定するように要求する情報要素「ｄｒｂ-ＴｏＡｄｄＭｏｄＬｉｓｔ」を含む移動局ＵＥ用のＵｎ無線ベアラの設定要求信号である。
【００６５】
ここで、無線基地局ＤｅＮＢは、交換局ＭＭＥから受信した「Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」のバッファリングを開始する。
【００６６】
ステップＳ３０１１において、リレーノードＲＮは、無線基地局ＤｅＮＢに対して、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｎ無線ベアラの設定完了信号）」を送信する。
【００６７】
ステップＳ３０１２において、移動局ＵＥ用のＵｎ無線ベアラが確立され、ステップＳ３０１３において、無線基地局ＤｅＮＢは、第２無線区間における移動局ＵＥ用のＥ-ＲＡＢの識別情報（Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定される移動局ＵＥ用のＵｎ無線ベアラと、ＴＥＩＤ（例えば、ＴＥＩＤ＃ｍ）によって特定されるＳ１ベアラとを関連付けるＵＥコンテキスト（第２コンテキスト情報）を生成して記憶する。
【００６８】
ステップＳ３０１４において、無線基地局ＤｅＮＢは、バッファリングしている「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を、リレーノードＲＮに対して送信する。
【００６９】
リレーノードＲＮは、移動局ＵＥに対して、ステップＳ３０１５において、「Ｓｅｃｕｒｉｔｙ  Ｍｏｄｅ  Ｃｏｍｍａｎｄ」を送信し、ステップＳ３０１６において、「ＲＲＣ  Ｃｏｎｎｃｅｔｉｏｎ  Ｒｅｃｏｎｆｉｇｕｒａｔｉｏｎ」を送信する。
【００７０】
かかる「ＲＲＣ  Ｃｏｎｎｃｅｔｉｏｎ  Ｒｅｃｏｎｆｉｇｕｒａｔｉｏｎ」は、移動局ＵＥ用のＵｕ無線ベアラ（ＵＥ用ＤＲＢ）を設定するように要求する情報要素を含む移動局ＵＥ用のＵｕ無線ベアラの設定要求信号である。
【００７１】
移動局ＵＥは、リレーノードＲＮに対して、ステップＳ３０１７において、「Ｓｅｃｕｒｉｔｙ  Ｍｏｄｅ  Ｃｏｍｐｌｅｔｅ」を送信し、ステップＳ３０１８において、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｕ無線ベアラの設定完了信号）」を送信する。
【００７２】
ステップＳ３０１９において、移動局ＵＥ用のＵｕ無線ベアラが確立され、ステップＳ３０２０において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定される移動局ＵＥ用のＵｕ無線ベアラと、第２無線区間における移動局ＵＥ用のＥ-ＲＡＢの識別情報（例えば、Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定される移動局ＵＥ用のＵｎ無線ベアラとを関連付けるＵＥコンテキスト（第１コンテキスト情報）を生成して記憶する。
【００７３】
ステップＳ３０２１において、リレーノードＲＮは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【００７４】
ステップＳ３０２２において、移動局ＵＥは、交換局ＭＭＥに対して「Ａｔｔａｃｈ  Ｃｏｍｐｌｅｔｅ」を送信する。
【００７５】
以上に述べた本実施形態の特徴は、以下のように表現されていてもよい。
【００７６】
本実施形態の第１の特徴は、移動通信方法であって、移動局ＵＥと交換局ＭＭＥとの間で移動局ＵＥ用のＥ-ＲＡＢ（ベアラ）を設定する際に、移動局ＵＥとリレーノードＲＮとの間の第１無線区間でＵｕ無線ベアラ（第１無線ベアラ）を設定すると共に、リレーノードＲＮと無線基地局ＤｅＮＢとの間の第２無線区間でＵｎ無線ベアラ（第２無線ベアラ）を設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定されるＵｎ無線ベアラとを関連付ける第１コンテキスト情報を生成して記憶し、無線基地局ＤｅＮＢは、第２無線区間における移動局ＵＥ用のＥ-ＲＡＢの識別情報（Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【００７７】
本実施形態の第１の特徴において、上述の工程は、リレーノードＲＮが、無線基地局ＤｅＮＢに対して、移動局ＵＥから受信した「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を送信する工程Ａと、無線基地局ＤｅＮＢが、受信した「Ｉｎｉｔｉａｌ  ＵＥ  Ｍｅｓｓａｇｅ」内のＮＡＳ信号（上位レイヤ信号）である「Ａｔｔａｃｈ  Ｒｅｑｕｅｓｔ」が、リレーノードＲＮに接続している移動局ＵＥから送信された信号であると判定し、交換局ＭＭＥから受信した「Ａｔｔａｃｈ  Ｒｅｑｕｅｓｔ」に対する「Ａｔｔａｃｈ  Ａｃｃｅｐｔ（移動局ＵＥ用のＥ-ＲＡＢの設定受付要求信号）」を含む「ＲＲＣ  Ｃｏｎｎｅｃｔｉｏｎ  Ｒｅｃｏｎｆｉｇｕｒａｔｉｏｎ（Ｕｎ無線ベアラの設定要求信号）」をリレーノードＲＮに対して送信する工程Ｂと、リレーノードＲＮが、受信した「ＲＲＣ  Ｃｏｎｎｅｃｔｉｏｎ  Ｒｅｃｏｎｆｉｇｕｒａｔｉｏｎ」に応じて、移動局ＵＥに対して「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信する工程Ｃと、移動局ＵＥが、受信した「ＲＲＣ  Ｃｏｎｎｅｃｔｉｏｎ  Ｒｅｃｏｎｆｉｇｕｒａｔｉｏｎ」に応じて、リレーノードＲＮに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を送信する工程Ｄと、リレーノードＲＮが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ」に応じて、第１コンテキスト情報を生成して記憶すると共に、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を送信する工程Ｅと、無線基地局ＤｅＮＢが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ」に応じて、第２コンテキスト情報を生成して記憶する工程Ｆとを有してもよい。
【００７８】
本実施形態の第１の特徴において、工程Ａにおいて、リレーノードＲＮが、無線基地局ＤｅＮＢに対して、リレーノードＲＮ用として設定されている制御信号を伝送するためのＳＲＢ（シグナリング無線ベアラ）を介して「Ｉｎｉｔｉａｌ  ＵＥ  Ｍｅｓｓａｇｅ（所定信号）」を送信してもよい。
【００７９】
本実施形態の第１の特徴において、工程Ａにおいて、リレーノードＲＮが、無線基地局ＤｅＮＢに対して、リレーノードＲＮ用として第２無線区間で設定されているユーザデータを伝送するためのＤＲＢ（データ無線ベアラ）を介して「Ｉｎｉｔｉａｌ  ＵＥ  Ｍｅｓｓａｇｅ（所定信号）」を送信してもよい。
【００８０】
本実施形態の第１の特徴において、工程Ｂにおいて、無線基地局ＤｅＮＢが、受信した「ＲＲＣ  ＵＬ  Ｉｎｆｏｒｍａｔｉｏｎ  Ｔｒａｎｓｆｅｒ  Ｍｅｓｓａｇｅ（所定信号）」に所定フラグが設定されている場合に、「ＲＲＣ  ＵＬ  Ｉｎｆｏｒｍａｔｉｏｎ  Ｔｒａｎｓｆｅｒ  Ｍｅｓｓａｇｅ（所定信号）」内の「Ｉｎｉｔｉａｌ  ＵＥ  Ｍｅｓｓａｇｅ」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【００８１】
本実施形態の第１の特徴において、工程Ｂにおいて、無線基地局ＤｅＮＢが、受信した「Ｉｎｉｔｉａｌ  ＵＥ  Ｍｅｓｓａｇｅ（所定信号）」内に含まれているＮＡＳ信号内に「Ｃａｕｓｅ：ＵＥ  ｏｒｉｇｉｎａｔｅｄ  Ｓｉｇｎａｌｉｎｇ（所定情報）」が含まれている場合に、「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【００８２】
本実施形態の第２の特徴は、移動通信方法であって、移動局ＵＥと交換局ＭＭＥとの間で移動局ＵＥ用のＥ-ＲＡＢを設定する際に、リレーノードＲＮと無線基地局ＤｅＮＢとの間の第２無線区間でＵｎ無線ベアラを設定した後に、移動局ＵＥとリレーノードＲＮとの間の第１無線区間でＵｕ無線ベアラを設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定されるＵｎ無線ベアラとを関連付ける第１コンテキスト情報を生成して記憶し、無線基地局ＤｅＮＢは、第２無線区間における移動局ＵＥ用のＥ-ＲＡＢの識別情報（Ｅ-ＲＡＢ＃ｍ）とリレーノードＲＮの識別情報（例えば、Ｃ-ＲＮＴＩ（ＲＮ））とＵｎ無線ベアラの識別情報（例えば、ＤＲＢ＃ｍ）とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【００８３】
本実施形態の第２の特徴において、かかる工程は、リレーノードＲＮが、無線基地局ＤｅＮＢに対して、移動局ＵＥから受信した「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を送信する工程Ａと、無線基地局ＤｅＮＢが、受信した「Ｉｎｉｔｉａｌ  ＵＥ  Ｍｅｓｓａｇｅ」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定し、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付要求信号）」を受信した後に、「Ａｔｔａｃｈ  Ａｃｃｅｐｔ（移動局ＵＥ用のＥ-ＲＡＢの設定受付要求信号）」を含む「ＲＲＣ  Ｃｏｎｎｅｃｔｉｏｎ  Ｒｅｃｏｎｆｉｇｕｒａｔｉｏｎ（Ｕｎ無線ベアラの設定要求信号）」をリレーノードＲＮに対して送信する工程Ｂと、無線基地局ＤｅＮＢが、リレーノードＲＮから受信した「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」に応じて、第２コンテキスト情報を生成して記憶し、リレーノードＲＮに対して「Ａｔｔａｃｈ  Ａｃｃｅｐｔ（移動局ＵＥ用のＥ-ＲＡＢの設定受付要求信号）」を送信すると工程Ｃと、リレーノードＲＮが、受信した「Ａｔｔａｃｈ  Ａｃｃｅｐｔ（移動局ＵＥ用のＥ-ＲＡＢの設定受付要求信号）」に応じて、移動局ＵＥに対して「Ａｔｔａｃｈ  Ａｃｃｅｐｔ（移動局ＵＥ用のＥ-ＲＡＢの設定受付要求信号）」を含む「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信する工程Ｄと、移動局ＵＥが、受信した「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に応じて、リレーノードＲＮに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を送信する工程Ｅと、リレーノードＲＮが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」に応じて、第１コンテキスト情報を生成して記憶する工程Ｆとを有してもよい。
【００８４】
本実施形態の第２の特徴において、工程Ａにおいて、リレーノードＲＮが、無線基地局ＤｅＮＢに対して、リレーノードＲＮ用として第２無線区間で設定されているユーザデータを伝送するためのＤＲＢ（データ無線ベアラ）を介して「Ｉｎｉｔｉａｌ  ＵＥ  Ｍｅｓｓａｇｅ（所定信号）」を送信してもよい。
【００８５】
本実施形態の第２の特徴において、工程Ｂにおいて、無線基地局ＤｅＮＢが、受信した「ＲＲＣ  ＵＬ  Ｉｎｆｏｒｍａｔｉｏｎ  Ｔｒａｎｓｆｅｒ  Ｍｅｓｓａｇｅ（所定信号）」に所定フラグが設定されている場合に、「ＲＲＣ  ＵＬ  Ｉｎｆｏｒｍａｔｉｏｎ  Ｔｒａｎｓｆｅｒ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【００８６】
本実施形態の第２の特徴において、工程Ｂにおいて、無線基地局ＤｅＮＢが、受信した「Ｉｎｉｔｉａｌ  ＵＥ  Ｍｅｓｓａｇｅ（所定信号）」に含まれているＮＡＳ信号内に「Ｃａｕｓｅ：ＵＥ  ｏｒｉｇｉｎａｔｅｄ  Ｓｉｇｎａｌｉｎｇ（所定情報）」が含まれている場合に、「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【００８７】
本実施形態の第３の特徴は、リレーノードＲＮであって、移動局ＵＥとの間のインターフェイスとして機能するＵＥ側インターフェイス２１と、無線基地局ＤｅＮＢとの間のインターフェイスとして機能するＤｅＮＢ側インターフェイス２２と、コンテキスト情報（ＵＥコンテキスト）を管理するように構成されているＵＥコンテキスト管理部２３とを具備し、ＵＥ側インターフェイス２１が、移動局ＵＥから、移動局ＵＥと交換局ＭＭＥとの間における「Ａｔｔａｃｈ  Ｒｅｑｕｅｓｔ（移動局ＵＥ用のＥ-ＲＡＢの設定要求信号）」を受信した場合に、ＤｅＮＢ側インターフェイス２２は、「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を無線基地局ＤｅＮＢに対して送信するように構成されており、ＤｅＮＢ側インターフェイス２２が、無線基地局ＤｅＮＢから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＵＥ側インターフェイス２１は、移動局ＵＥに対して「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信するように構成されており、ＵＥ側インターフェイス２１が、移動局ＵＥから「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を受信した場合に、ＵＥコンテキスト管理部２３は、第１無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｕ無線ベアラの識別情報（例えば、ＤＲＢ＃０）とによって特定されるＵｕ無線ベアラと、第２無線区間における移動局ＵＥ用のＥ-ＲＡＢの識別情報（例えば、Ｅ-ＲＡＢ＃０）とリレーノードＲＮの識別情報（例えば、Ｃ-ＲＮＴＩ（ＲＮ））とＵｎ無線ベアラの識別情報（例えば、ＤＲＢ＃０）とによって特定されるＵｎ無線ベアラとを関連付ける第１コンテキスト情報を生成して記憶すると共に、無線基地局側インターフェイス２２は、無線基地局ＤｅＮＢに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を送信するように構成されていることを要旨とする。
【００８８】
本実施形態の第４の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ａｃｃｅｐｔ（移動局ＵＥ用のＥ-ＲＡＢの設定受付信号）」をリレーノードＲＮに対して送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）とリレーノードＲＮの識別情報（例えば、Ｃ-ＲＮＴＩ（ＲＮ））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【００８９】
本実施形態の第５の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であるか否かについて判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）とリレーノードＲＮの識別情報（例えば、Ｃ-ＲＮＴＩ（ＲＮ））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【００９０】
（本発明の第２の実施形態に係る移動通信システム）
図７及び図８を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００９１】
本実施形態に係る移動通信システムでは、具体的には、図７に示すように、Ｅ-ＲＡＢとＵｕ無線ベアラとＵｎ無線ベアラとＳ１ベアラとがマッピングされるように構成されている。
【００９２】
例えば、移動局ＵＥの識別情報（ＣＲＮＴＩ（ＵＥ＃ｎ））と第１無線区間における移動局ＵＥのＥ-ＲＡＢの識別情報（Ｅ-ＲＡＢ＃２）とＵｕ無線ベアラの識別情報（ＤＲＢ＃２）とによって特定されるＵｕ無線ベアラは、移動局ＵＥの識別情報（ＣＲＮＴＩ（ＵＥ＃ｎ））と第２無線区間における移動局ＵＥのＥ-ＲＡＢの識別情報（Ｅ-ＲＡＢ＃２）とＵｎ無線ベアラの識別情報（ＤＲＢ＃２）とによって特定されるＵｎ無線ベアラにマッピングされるように構成されている。
【００９３】
ここで、図７の例では、第１無線区間において使用可能な移動局ＵＥのＥ-ＲＡＢの識別情報の数及びＵｕ無線ベアラの識別情報の数は「３」であり、第２無線区間において使用可能な移動局ＵＥのＥ-ＲＡＢの識別情報の数及びＵｎ無線ベアラの識別情報の数も「３」である。
【００９４】
また、第２無線区間における移動局ＵＥ用のＥ-ＲＡＢの識別情報（Ｅ-ＲＡＢ＃２）と移動局ＵＥの識別情報（ＣＲＮＴＩ（ＵＥ＃ｎ））とＵｎ無線ベアラの識別情報（例えば、ＤＲＢ＃２）とによって特定されるＵｎ無線ベアラは、ＴＥＩＤ＃ｍによって特定されるＳ１ベアラにマッピングされるように構成されている。
【００９５】
無線基地局ＤｅＮＢのＲＮ側インターフェイス１２は、リレーノードＲＮからの要求に応じて、移動局ＵＥの識別情報（Ｃ-ＲＮＴＩ（ＵＥ＃０乃至ＵＥ＃ｎ））を通知するように構成されている。
【００９６】
また、リレーノードＲＮのＵＥ側インターフェイス２１が、移動局ＵＥから「Ａｔｔａｃｈ  Ｒｅｑｕｅｓｔ」を受信した場合に、リレーノードＲＮのＤｅＮＢ側インターフェイス２２は、無線基地局ＤｅＮＢから、移動局ＵＥの識別情報（例えば、Ｃ-ＲＮＴＩ（ＵＥ＃０乃至ＵＥ＃ｎ））を取得するように構成されている。
【００９７】
すなわち、リレーノードＲＮは、複数の移動局ＵＥの識別情報を管理するように構成されている。
【００９８】
次に、図８を参照して、本実施形態に係る移動通信システムにおいて、移動局ＵＥのＵプレーン用ベアラを設定する動作について説明する。
【００９９】
図８に示すように、ステップＳ４００１乃至Ｓ４００５の動作は、図４に示すステップＳ１００１乃至Ｓ１００５の動作と同一である。
【０１００】
ステップＳ４００６及びＳ４００７において、リレーノードＲＮは、ＲＡＣＨ手順を用いて、移動局ＵＥの識別情報を取得する。ここで、リレーノードＲＮは、１つの移動局ＵＥの識別情報のみを取得してもよいし、複数の移動局ＵＥの識別情報のみを取得してもよい。
【０１０１】
また、ステップＳ４００８及びＳ４００９の手順によって、リレーノードＲＮと無線基地局ＤｅＮＢとの間の第２無線区間におけるＳＲＢ（シグナリング無線ベアラ）が設定される。
【０１０２】
以下、ステップＳ４０１０乃至Ｓ４０２５の動作は、図４に示すステップＳ１００６乃至Ｓ１０２１の動作と同一である。
【０１０３】
なお、図８の動作において、ステップＳ４０１０乃至Ｓ４０２５の動作の代わりに、図５に示すステップＳ２００６乃至Ｓ２０２１の動作や、図６に示すステップＳ３００６乃至Ｓ３０２２の動作が用いられてもよい。
【０１０４】
本実施形態に係る移動通信システムによれば、交換局ＭＭＥと無線基地局ＤｅＮＢとの間で使用可能なＥ-ＲＡＢの識別情報やＤＲＢの識別情報を増やすことなく、Ｅ-ＲＡＢとＵｕ無線ベアラとＵｎ無線ベアラとＳ１ベアラとを適切にマッピングすることができる。
【０１０５】
（本発明の第２の実施形態の変更例１）
図９を参照して、本発明の第２の実施形態の本変更例１について、上述の第２の実施形態との相違点に着目して説明する。以下、図９を参照して、本変更例に係る移動通信システムにおいて、移動局ＵＥのＵプレーン用ベアラを設定する動作について説明する。
【０１０６】
図９に示すように、ステップＳ５００１乃至Ｓ５００５の動作は、図４に示すステップＳ１００１乃至Ｓ１００５の動作と同一である。
【０１０７】
ステップＳ５０１６において、リレーノードＲＮは、無線基地局ＤｅＮＢに対して、移動局ＵＥの識別情報の送信を要求する「ＵＥ  Ｃｏｎｎｅｃｔｉｏｎ  Ｒｅｑｕｅｓｔ」を送信し、ステップＳ５０１７において、無線基地局ＤｅＮＢは、リレーノードＲＮに対して、かかる移動局ＵＥの識別情報を含む
「ＵＥ  Ｃｏｎｎｅｃｔｉｏｎ  Ｓｅｔｕｐ」を送信する。
【０１０８】
ここで、ステップＳ５０１６において、リレーノードＲＮは、「ＵＥ  Ｃｏｎｎｅｃｔｉｏｎ  Ｒｅｑｕｅｓｔ」を用いて、１つの移動局ＵＥの識別情報の送信を要求してもよいし、複数の移動局ＵＥの識別情報の送信を要求してもよい。
【０１０９】
以下、ステップＳ５００８乃至Ｓ５０２３の動作は、図４に示すステップＳ１００６乃至Ｓ１０２１の動作と同一である。
【０１１０】
なお、図９の動作において、ステップＳ５００８乃至Ｓ５０２３の動作の代わりに、図５に示すステップＳ２００６乃至Ｓ２０２１の動作や、図６に示すステップＳ３００６乃至Ｓ３０２２の動作が用いられてもよい。
【０１１１】
以上に述べた本実施形態の特徴は、以下のように表現されていてもよい。
【０１１２】
本実施形態の第１の特徴は、移動通信方法であって、移動局ＵＥと交換局ＭＭＥとの間で移動局ＵＥ用のＥ-ＲＡＢを設定する際に、リレーノードＲＮが無線基地局ＤｅＮＢから移動局ＵＥの識別情報（例えば、Ｃ-ＲＮＴＩ（ＵＥ＃ｎ））を取得し、移動局ＵＥとリレーノードＲＮとの間の第１無線区間でＵｕ無線ベアラを設定すると共に、リレーノードＲＮと無線基地局ＤｅＮＢとの間の第２無線区間でＵｎ無線ベアラを設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶し、無線基地局ＤｅＮＢは、第２無線区間における移動局用のＥ-ＲＡＢの識別情報と該移動局の識別情報とＵｎ無線ベアラの識別情報とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【０１１３】
本実施形態の第１の特徴において、上述の工程は、リレーノードＲＮが、移動局ＵＥから受信した「Ａｔｔａｃｈ  Ｒｅｑｕｅｓｔ（移動局ＵＥ用のＥ-ＲＡＢの設定要求信号）」に応じて、無線基地局ＤｅＮＢから移動局ＵＥの識別情報（例えば、Ｃ-ＲＮＴＩ（ＵＥ＃ｎ））を取得する工程Ａと、リレーノードＲＮが、無線基地局ＤｅＮＢに対して、「Ａｔｔａｃｈ  Ｒｅｑｕｅｓｔ（移動局ＵＥ用のＥ-ＲＡＢの設定要求信号）」を含む「Ｉｎｔｉａｌ  ＵＥ  Ｍｅｓｓａｇｅ（所定信号）」を送信する工程Ｂと、無線基地局ＤｅＮＢが、受信した「Ｉｎｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定し、交換局ＭＭＥから受信した「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を含む「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を、リレーノードＲＮに対して送信する工程Ｃと、リレーノードＲＮが、受信した「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に応じて、移動局ＵＥに対して「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信する工程Ｄと、移動局ＵＥが、受信した「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に応じて、リレーノードＲＮに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を送信する工程Ｅと、リレーノードＲＮが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」に応じて、第１コンテキスト情報を生成して記憶すると共に、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を送信する工程Ｆと、無線基地局ＤｅＮＢが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」に応じて、第２コンテキスト情報を生成して記憶する工程Ｇとを有してもよい。
【０１１４】
本実施形態の第１の特徴において、工程Ｂにおいて、リレーノードＲＮが、無線基地局ＤｅＮＢに対して、リレーノードＲＮ用として設定されている制御信号を伝送するためのＳＲＢを介して「Ｉｎｔｉａｌ  ＵＥ  Ｍｅｓｓａｇｅ（所定信号）」を送信してもよい。
【０１１５】
本実施形態の第１の特徴において、工程Ｂにおいて、リレーノードＲＮが、無線基地局ＤｅＮＢに対して、リレーノードＲＮ用として第２無線区間で設定されているユーザデータを伝送するためのＤＲＢを介して「Ｉｎｔｉａｌ  ＵＥ  Ｍｅｓｓａｇｅ（所定信号）」を送信してもよい。
【０１１６】
本実施形態の第１の特徴において、工程Ｃにおいて、無線基地局ＤｅＮＢが、受信した「ＲＲＣ  ＵＬ  Ｉｎｆｏｒｍａｔｉｏｎ  Ｔｒａｎｓｆｅｒ  Ｍｅｓｓａｇｅ（所定信号）」に所定フラグが設定されている場合に、「ＲＲＣ  ＵＬ  Ｉｎｆｏｒｍａｔｉｏｎ  Ｔｒａｎｓｆｅｒ  Ｍｅｓｓａｇｅ（所定信号）」内の「Ｉｎｉｔｉａｌ  ＵＥ  Ｍｅｓｓａｇｅ」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【０１１７】
本実施形態の第１の特徴において、工程Ｃにおいて、無線基地局ＤｅＮＢが、受信した「Ｉｎｉｔｉａｌ  ＵＥ  Ｍｅｓｓａｇｅ（所定信号）」に含まれているＮＡＳ信号内に「Ｃａｕｓｅ：ＵＥ  ｏｒｉｇｉｎａｔｅｄ  Ｓｉｇｎａｌｉｎｇ（所定情報）」が含まれている場合に、「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【０１１８】
本実施形態の第２の特徴は、移動通信方法であって、移動局ＵＥと交換局ＭＭＥとの間で移動局ＵＥ用のＥ-ＲＡＢを設定する際に、リレーノードＲＮが無線基地局ＤｅＮＢから移動局ＵＥの識別情報（例えば、Ｃ-ＲＮＴＩ（ＵＥ＃ｎ））を取得し、リレーノードＲｎと無線基地局ＤｅＮＢとの間の第２無線区間でＵｎ無線ベアラを設定した後に、移動局ＵＥとリレーノードＲＮとの間の第１無線区間でＵｕ無線ベアラを設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶し、無線基地局ＤｅＮＢは、第２無線区間における移動局用のＥ-ＲＡＢの識別情報と該移動局の識別情報とＵｎ無線ベアラの識別情報とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【０１１９】
本実施形態の第２の特徴において、上述の工程は、リレーノードＲＮが、移動局ＵＥから受信した「Ａｔｔａｃｈ  Ｒｅｑｕｅｓｔ（移動局ＵＥ用のＥ-ＲＡＢの設定要求信号）」に応じて、無線基地局ＤｅＮＢから移動局ＵＥの識別情報（例えば、Ｃ-ＲＮＴＩ（ＵＥ＃ｎ））を取得する工程Ａと、リレーノードＲＮが、無線基地局ＤｅＮＢに対して「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を送信する工程Ｂと、無線基地局ＤｅＮＢが、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定し、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した後に、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を、リレーノードＲＮに対して送信する工程Ｃと、無線基地局ＤｅＮＢが、リレーノードＲＮから受信した「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」に応じて、第２コンテキスト情報を生成して記憶し、リレーノードＲＮに対して「Ａｔｔａｃｈ  Ａｃｃｅｐｔ（移動局ＵＥ用のＥ-ＲＡＢの設定受付信号）」を送信すると工程Ｄと、リレーノードＲＮが、受信した「Ａｔｔａｃｈ  Ａｃｃｅｐｔ（移動局ＵＥ用のＥ-ＲＡＢの設定受付信号）」に応じて、移動局ＵＥに対して「Ａｔｔａｃｈ  Ａｃｃｅｐｔ（移動局ＵＥ用のＥ-ＲＡＢの設定受付信号）」を含む「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信する工程Ｅと、移動局ＵＥが、受信した「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に応じて、リレーノードＲＮに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を送信する工程Ｆと、リレーノードＲＮが、受信した「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」に応じて、第１コンテキスト情報を生成して記憶する工程Ｇとを有してもよい。
【０１２０】
本実施形態の第２の特徴において、工程Ｂにおいて、リレーノードＲＮが、無線基地局ＤｅＮＢに対して、リレーノードＲＮ用として第２無線区間で設定されているユーザデータを伝送するためのＤＲＢを介して「Ｉｎｉｔｉａｌ  ＵＥ  Ｍｅｓｓａｇｅ（所定信号）」を送信してもよい。
【０１２１】
本実施形態の第２の特徴において、工程Ｃにおいて、無線基地局ＤｅＮＢが、受信した「ＲＲＣ  ＵＬ  Ｉｎｆｏｒｍａｔｉｏｎ  Ｔｒａｎｓｆｅｒ  Ｍｅｓｓａｇｅ（所定信号）」に所定フラグが設定されている場合に、「ＲＲＣ  ＵＬ  Ｉｎｆｏｒｍａｔｉｏｎ  Ｔｒａｎｓｆｅｒ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【０１２２】
本実施形態の第２の特徴において、工程Ｃにおいて、無線基地局ＤｅＮＢが、受信した「Ｉｎｉｔｉａｌ  ＵＥ  Ｍｅｓｓａｇｅ（所定信号）」に含まれているＮＡＳ信号内に「Ｃａｕｓｅ：ＵＥ  ｏｒｉｇｉｎａｔｅｄ  Ｓｉｇｎａｌｉｎｇ（所定情報）」が含まれている場合に、「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定してもよい。
【０１２３】
本実施形態の第３の特徴は、リレーノードＲＮであって、移動局ＵＥとの間のインターフェイスとして機能するＵＥ側インターフェイス２１と、無線基地局ＤｅＮＢとの間のインターフェイスとして機能するＤｅＮＢ側インターフェイス２２と、コンテキスト情報（ＵＥコンテキスト）を管理するように構成されているＵＥコンテキスト管理部２３とを具備し、ＵＥ側インターフェイス２１が、移動局ＵＥから「Ａｔｔａｃｈ  Ｒｅｑｕｅｓｔ（移動局ＵＥ用のＥ-ＲＡＢの設定要求信号）」を受信した場合に、ＤｅＮＢ側インターフェイス２２は、無線基地局ＤｅＮＢから、移動局ＵＥの識別情報（例えば、Ｃ-ＲＮＴＩ（ＵＥ＃ｎ））を取得すると共に、「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を無線基地局ＤｅＮＢに対して送信するように構成されており、ＤｅＮＢ側インターフェイス２２が、無線基地局ＤｅＮＢから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＵＥ側インターフェイス２１は、移動局ＵＥに対して「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信するように構成されており、ＵＥ側インターフェイス２１が、移動局ＵＥから「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を受信した場合に、ＵＥコンテキスト管理部２３は、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶すると共に、ＤｅＮＢ側インターフェイス２２は、無線基地局ＤｅＮＢに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を送信するように構成されていることを要旨とする。
【０１２４】
本実施形態の第４の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２は、リレーノードＲＮからの要求に応じて、移動局ＵＥの識別情報（例えば、Ｃ-ＲＮＴＩ（ＵＥ＃０））を通知するように構成されており、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であるか否かについて判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ａｃｃｅｐｔ（移動局ＵＥ用のＥ-ＲＡＢの設定受付信号）」をリレーノードＲＮに対して送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【０１２５】
本実施形態の第５の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２は、リレーノードＲＮからの要求に応じて、移動局ＵＥの識別情報（例えば、Ｃ-ＲＮＴＩ（ＵＥ＃０））を通知するように構成されており、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であるか否かについて判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【０１２６】
（本発明の第３の実施形態に係る移動通信システム）
図１０を参照して、本発明の第３の実施形態に係る移動通信システムについて説明する。以下、本発明の第３の実施形態に係る移動通信システムについて、上述の第１の実施形態又は第２の実施形態に係る移動通信システムとの相違点に着目して説明する。
【０１２７】
本実施形態に係る移動通信システムにおいて、リレーノードＲＮのＤｅＮＢ側インターフェイス２２は、無線基地局ＤｅＮＢに対して、リレーノードＲＮにおいて同時に復号可能な移動局ＵＥの識別情報の数を通知するように構成されていてもよい。
【０１２８】
具体的には、リレーノードＲＮのＤｅＮＢ側インターフェイス２２は、ＬＴＥ（Ｒｅｌ.８）方式で規定されている「ＵＥ  Ｃａｐａｂｉｌｉｔｙ  Ｉｎｆｒｏｍａｔｉｏｎ  Ｍｅｓｓａｇｅ」を用いて、かかる移動局ＵＥの識別情報の数を通知するように構成されていてもよい。
【０１２９】
かかる場合、「ＵＥ  Ｃａｐａｂｉｌｉｔｙ  Ｉｎｆｒｏｍａｔｉｏｎ  Ｍｅｓｓａｇｅ」内に、発信元がリレーノードＲＮであるか移動局ＵＥであるかについて示すフラグが設けられることが好ましい。
【０１３０】
また、リレーノードＲＮのＤｅＮＢ側インターフェイス２２は、新規のＲＲＣ手順におけるメッセージである「ＲＮ  Ｃａｐａｂｉｌｉｔｙ  Ｅｎｑｕｉｒｙ/Ｉｎｆｒｏｍａｔｉｏｎ  Ｍｅｓｓａｇｅ」を用いて、かかる移動局ＵＥの識別情報の数を通知するように構成されていてもよい。
【０１３１】
一方、無線基地局ＤｅＮＢのＲＮ側インターフェイス１２は、リレーノードＲＮにおいて同時に復号可能な移動局ＵＥの識別情報の数を取得するように構成されていてもよい。
【０１３２】
さらに、無線基地局ＤｅＮＢは、各タイムスロットで多重する前記リレーノード配下の移動局の数が、リレーノードＲＮにおいて同時に復号可能な移動局ＵＥの識別情報の数以下になるようにスケジューリング処理を行うように構成されているスケジューリング処理部を更に具備してもよい。
【０１３３】
以下、図１０を参照して、本変更例に係る移動通信システムにおけるリレーノードの起動動作について説明する。
【０１３４】
図１０に示すように、ステップＳ６００１において、リレーノードＲＮは、無線基地局ＤｅＮＢに対して「ＲＡＣＨ  ｐｒｅａｍｂｌｅ」を送信し、ステップＳ６００２において、無線基地局ＤｅＮＢは、受信した「ＲＡＣＨ  ｐｒｅａｍｂｌｅ」に応じて、リレーノードＲＮに対して「ＲＡＣＨ  ｒｅｓｐｏｎｓｅ」を送信する。
【０１３５】
ステップＳ６００３において、リレーノードＲＮは、無線基地局ＤｅＮＢに対して「ＲＲＣ  Ｃｏｎｎｅｃｔｉｏｎ  Ｒｅｑｕｅｓｔ」を送信し、ステップＳ６００４において、無線基地局ＤｅＮＢは、受信した「ＲＲＣ  Ｃｏｎｎｅｃｔｉｏｎ  Ｒｅｑｕｅｓｔ」に応じて、リレーノードＲＮに対して「ＲＲＣ  Ｃｏｎｎｅｃｔｉｏｎ  Ｓｅｔｕｐ」を送信する。
【０１３６】
ステップＳ６００５において、リレーノードＲＮは、無線基地局ＤｅＮＢに対して、「Ａｔｔａｃｈ  Ｒｅｑｕｅｓｔ（リレーノードＲＮ用のＥ-ＲＡＢの設定要求信号）」を含む「ＲＲＣ  Ｃｏｎｎｅｃｔｉｏｎ  Ｓｅｔｕｐ  Ｃｏｍｐｌｅｔｅ」を送信する。この結果、リレーノードＲＮと無線基地局ＤｅＮＢとの間の第２無線区間でＳＲＢ（シグナリング無線ベアラ）が確立される。
【０１３７】
ここで、「Ａｔｔａｃｈ  Ｒｅｑｕｅｓｔ」は、交換局ＭＭＥに対してリレーノードＲＮ用のＥ-ＲＡＢの設定を要求するためのＮＡＳ信号である。
【０１３８】
ステップＳ６００６において、無線基地局ＤｅＮＢは、交換局ＭＭＥに対して、「Ａｔｔａｃｈ  Ｒｅｑｕｅｓｔ」を含む「Ｉｎｉｔｉａｌ  ＵＥ  Ｍｅｓｓａｇｅ」を送信する。
【０１３９】
ステップＳ６００７において、リレーノードＲＮと交換局ＭＭＥとの間で認証処理及びセキュリティ処理が行われた後、ステップＳ６００７Ａにおいて、交換局ＭＭＥは、受信した「Ｉｎｉｔｉａｌ  ＵＥ  Ｍｅｓｓａｇｅ」に応じて、無線基地局ＤｅＮＢに対して、「Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」を送信する。
【０１４０】
ステップＳ６００８において、無線基地局ＤｅＮＢは、リレーノードＲＮに対して、「ＵＥ/ＲＮ  Ｃａｐａｂｉｌｉｔｙ  Ｅｎｑｕｉｒｙ」を送信し、ステップＳ６００９において、リレーノードＲＮは、受信した「ＵＥ/ＲＮ  Ｃａｐａｂｉｌｉｔｙ  Ｅｎｑｕｉｒｙ」に応じて、無線基地局ＤｅＮＢに対して、リレーノードＲＮにおいて同時に復号可能な移動局ＵＥの識別情報の数を通知するための「ＲＲＣ  ＵＥ/ＲＮ  Ｃａｐａｂｉｌｉｔｙ  Ｉｎｆｏｒｍａｔｉｏｎ」を送信する。
【０１４１】
ステップＳ６０１０において、無線基地局ＤｅＮＢは、交換局ＭＭＥに対して、かかる「ＵＥ  Ｃａｐａｂｉｌｉｔｙ  Ｉｎｆｏ  Ｉｎｄｉｃａｔｉｏｎ」を送信する。
【０１４２】
無線基地局ＤｅＮＢは、リレーノードＲＮに対して、ステップＳ６０１１において、「Ｓｅｃｕｒｉｔｙ  Ｍｏｄｅ  Ｃｏｍｍａｎｄ」を送信し、ステップＳ６０１２において、「ＲＲＣ  Ｃｏｎｎｃｅｔｉｏｎ  Ｒｅｃｏｎｆｉｇｕｒａｔｉｏｎ」を送信する。
【０１４３】
かかる「ＲＲＣ  Ｃｏｎｎｃｅｔｉｏｎ  Ｒｅｃｏｎｆｉｇｕｒａｔｉｏｎ」は、リレーノードＲＮ用のＵｕ無線ベアラ（ＲＮ用ＤＲＢ）を設定するように要求する情報要素を含むリレーノードＲＮ用のＵｕ無線ベアラの設定要求信号である。
【０１４４】
リレーノードＲＮは、無線基地局ＤｅＮＢに対して、ステップＳ６０１３において、「Ｓｅｃｕｒｉｔｙ  Ｍｏｄｅ  Ｃｏｍｐｌｅｔｅ」を送信し、ステップＳ６０１４において、「ＲＲＣ  Ｃｏｎｎｃｅｔｉｏｎ  Ｒｅｃｏｎｆｉｇｕｒａｔｉｏｎ  Ｃｏｍｐｌｅｔｅ（リレーノードＲＮ用のＵｕ無線ベアラの設定完了信号）」を送信する。
【０１４５】
ステップＳ６０１５において、リレーノードＲＮ用のＵｕ無線ベアラが確立され、ステップＳ６０１６において、無線基地局ＤｅＮＢは、リレーノードＲＮ用のＵｕ無線ベアラと、リレーノードＲＮ用のＳ１ベアラとを関連付けるＵＥコンテキストを生成して記憶する。
【０１４６】
ステップＳ６０１７において、無線基地局ＤｅＮＢは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【０１４７】
ステップＳ６０１８において、交換局ＭＭＥは、リレーノードＲＮ用のＥ-ＲＡＢに係るＵＥコンテキストを生成して記憶する。
【０１４８】
ステップＳ６０１９において、リレーノードＲＮは、交換局ＭＭＥに対して「Ａｔｔａｃｈ  Ｃｏｍｐｌｅｔｅ」を送信する。
【０１４９】
以上に述べた本実施形態の特徴は、以下のように表現されていてもよい。
【０１５０】
本実施形態の第１の特徴は、移動通信方法であって、移動局ＵＥと交換局ＭＭＥとの間で移動局ＵＥ用のＥ-ＲＡＢを設定する際に、リレーノードＲＮが無線基地局ＤｅＮＢから移動局ＵＥの識別情報（例えば、Ｃ-ＲＮＴＩ（ＵＥ＃ｎ））を取得し、移動局ＵＥとリレーノードＲＮとの間の第１無線区間でＵｕ無線ベアラを設定すると共に、リレーノードＲＮと無線基地局ＤｅＮＢとの間の第２無線区間でＵｎ無線ベアラを設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶し、無線基地局ＤｅＮＢは、第２無線区間における移動局用のＥ-ＲＡＢの識別情報と該移動局の識別情報とＵｎ無線ベアラの識別情報とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【０１５１】
本実施形態の第２の特徴は、移動通信方法であって、移動局ＵＥと交換局ＭＭＥとの間で移動局ＵＥ用のＥ-ＲＡＢを設定する際に、リレーノードＲＮが無線基地局ＤｅＮＢから移動局ＵＥの識別情報（例えば、Ｃ-ＲＮＴＩ（ＵＥ＃ｎ））を取得し、リレーノードＲｎと無線基地局ＤｅＮＢとの間の第２無線区間でＵｎ無線ベアラを設定した後に、移動局ＵＥとリレーノードＲＮとの間の第１無線区間でＵｕ無線ベアラを設定する工程を有し、かかる工程において、リレーノードＲＮは、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶し、無線基地局ＤｅＮＢは、第２無線区間における移動局用のＥ-ＲＡＢの識別情報と該移動局の識別情報とＵｎ無線ベアラの識別情報とによって特定されるＵｎ無線ベアラと、無線基地局ＤｅＮＢと交換局ＭＭＥとの間のＳ１ベアラとを関連付ける第２コンテキスト情報を生成して記憶することを要旨とする。
【０１５２】
本実施形態の第１の特徴及び本実施形態の第２の特徴において、上述の工程において、無線基地局ＤｅＮＢは、リレーノードＲＮにおいて同時に復号可能な移動局ＵＥの識別情報の数を取得し、無線基地局ＤｅＮＢは、各タイムスロットで多重するリレーノードＲＮ配下の移動局ＵＥの数が、リレーノードＲＮにおいて同時に復号可能な移動局ＵＥの識別情報の数以下になるようにスケジューリング処理を行ってもよい。
【０１５３】
本実施形態の第３の特徴は、リレーノードＲＮであって、移動局ＵＥとの間のインターフェイスとして機能するＵＥ側インターフェイス２１と、無線基地局ＤｅＮＢとの間のインターフェイスとして機能するＤｅＮＢ側インターフェイス２２と、コンテキスト情報（ＵＥコンテキスト）を管理するように構成されているＵＥコンテキスト管理部２３とを具備し、ＵＥ側インターフェイス２１が、移動局ＵＥから「Ａｔｔａｃｈ  Ｒｅｑｕｅｓｔ（移動局ＵＥ用のＥ-ＲＡＢの設定要求信号）」を受信した場合に、ＤｅＮＢ側インターフェイス２２は、無線基地局ＤｅＮＢから、移動局ＵＥの識別情報（例えば、Ｃ-ＲＮＴＩ（ＵＥ＃ｎ））を取得すると共に、「Ａｔｔａｃｈ  Ｒｅｑｕｅｓｔ（移動局ＵＥ用のＥ-ＲＡＢの設定要求信号）」を含む「Ｉｎｉｔｉａｌ  ＵＥ  Ｍｅｓｓａｇｅ（所定信号）」を無線基地局ＤｅＮＢに対して送信するように構成されており、ＤｅＮＢ側インターフェイス２２が、無線基地局ＤｅＮＢから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＵＥ側インターフェイス２１は、移動局ＵＥに対して「ＲＲＣ  Ｃｏｎｎｅｃｔｉｏｎ  Ｒｅｃｏｎｆｉｇｕｒａｔｉｏｎ（Ｕｕ無線ベアラの設定要求信号）」を送信するように構成されており、ＵＥ側インターフェイス２１が、移動局ＵＥから「ＲＲＣ  Ｃｏｎｎｅｃｔｉｏｎ  Ｒｅｃｏｎｆｉｇｕｒａｔｉｏｎ（Ｕｕ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｕ無線ベアラの設定完了信号）」を受信した場合に、ＵＥコンテキスト管理部２３は、第１無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｕ無線ベアラの識別情報（例えば、ＤＲＢ＃２）とによって特定されるＵｕ無線ベアラと、第２無線区間における移動局ＵＥ用のＥ-ＲＡＢの識別情報（例えば、Ｅ-ＲＡＢ＃２）と移動局ＵＥの識別情報（例えば、Ｃ-ＲＮＴＩ（ＵＥ＃ｎ））とＵｎ無線ベアラの識別情報（例えば、ＤＲＢ＃２）とによって特定されるＵｎ無線ベアラとを関連付ける第１コンテキスト情報を生成して記憶すると共に、ＤｅＮＢ側インターフェイス２２は、無線基地局ＤｅＮＢに対して「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を送信するように構成されていることを要旨とする。
【０１５４】
本実施形態の第３の特徴において、ＤｅＮＢ側インターフェイス２２は、無線基地局ＤｅＮＢに対して、リレーノードＲＮにおいて同時に復号可能な移動局ＵＥの識別情報の数を通知するように構成されていてもよい。
【０１５５】
本実施形態の第４の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２は、リレーノードＲＮからの要求に応じて、移動局ＵＥの識別情報（例えば、Ｃ-ＲＮＴＩ（ＵＥ＃０））を通知するように構成されており、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であるか否かについて判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を介して「Ａｔｔａｃｈ  Ａｃｃｅｐｔ（移動局ＵＥ用のＥ-ＲＡＢの設定受付信号）」をリレーノードＲＮに対して送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【０１５６】
本実施形態の第５の特徴は、無線基地局ＤｅＮＢであって、リレーノードＲＮとの間のインターフェイスとして機能するＲＮ側インターフェイス１２と、交換局ＭＭＥとの間のインターフェイスとして機能するＭＭＥ側インターフェイス１１と、コンテキスト情報（ＵＥコンテキスト）を管理するように構成されているＵＥコンテキスト管理部１４と、判定部１３とを具備し、ＲＮ側インターフェイス１２は、リレーノードＲＮからの要求に応じて、移動局ＵＥの識別情報（例えば、Ｃ-ＲＮＴＩ（ＵＥ＃０））を通知するように構成されており、ＲＮ側インターフェイス１２が、リレーノードＲＮから「Ｉｎｉｔｉａｌ  ＵＥ  Ｍｅｓｓａｇｅ（所定信号）」を受信した場合に、判定部１３は、受信した「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であるか否かについて判定するように構成されており、判定部１３によって「Ｉｎｉｔｉａｌ  ＵＥ  Ｍｅｓｓａｇｅ（所定信号）」内のＮＡＳ信号である「Ａｔｔａｃｈ  Ｒｅｑｕｅｓｔ（移動局ＵＥ用のＥ-ＲＡＢの設定要求信号）」が、リレーノードＲＮに接続している移動局ＵＥから送信された信号であると判定された場合で、かつ、ＭＭＥ側インターフェイス１１が、交換局ＭＭＥから「Ａｔｔａｃｈ  Ｒｅｑｕｅｓｔ（移動局ＵＥ用のＥ-ＲＡＢの設定要求信号）」に対する「Ａｔｔａｃｈ  Ａｃｃｅｐｔ（移動局ＵＥ用のＥ-ＲＡＢの設定受付信号）」を受信した場合に、ＲＮ側インターフェイス１２は、「ＲＲＣ  Ｃｏｎｎｅｃｔｉｏｎ  Ｒｅｃｏｎｆｉｇｕｒａｔｉｏｎ（Ｕｎ無線ベアラの設定要求信号）」を送信するように構成されており、ＲＮ側インターフェイス１２が、リレーノードＲＮから「ＲＲＣ  Ｃｏｎｎｅｃｔｉｏｎ  Ｒｅｃｏｎｆｉｇｕｒａｔｉｏｎ（Ｕｎ無線ベアラの設定要求信号）」に対する「ＲＲＣ  Ｃｏｎｎｅｃｔｉｏｎ  Ｒｅｃｏｎｆｉｇｕｒａｔｉｏｎ  Ｃｏｍｐｌｅｔｅ（Ｕｎ無線ベアラの設定完了信号）」を受信した場合に、ＵＥコンテキスト管理部１４は、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定されるＵｎ無線ベアラと、無線基地局ＤｅＮＢと交換局ＭＭＥとの間のＳ１ベアラとを関連付けるコンテキスト情報を生成して記憶するように構成されていることを要旨とする。
【０１５７】
本実施形態の第４の特徴又は本実施形態の第５の特徴において、ＲＮ側インターフェイス１２は、リレーノードＲＮにおいて同時に復号可能な移動局ＵＥの識別情報の数を取得するように構成されており、各タイムスロットで多重するリレーノードＲＮ配下の移動局ＵＥの数が、リレーノードＲＮにおいて同時に復号可能な移動局ＵＥの識別情報の数以下になるようにスケジューリング処理を行うように構成されているスケジューリング処理部を更に具備してもよい。
【０１５８】
（本発明の第４の実施形態に係る移動通信システム）
図１１及び図１２を参照して、本発明の第４の実施形態に係る移動通信システムについて説明する。以下、本発明の第４の実施形態に係る移動通信システムについて、上述の第１の実施形態又は第２の実施形態に係る移動通信システムとの相違点に着目して説明する。
【０１５９】
図１１に示すように、本実施形態に係る移動通信システムでは、第２無線区間で、交換局ＭＭＥとの間でＥ-ＲＡＢを設定しているリレーノードＲＮ配下の移動局ＵＥの数よりも多くの数の各ＱｏＳ用のＵｎ無線ベアラを予め設定しておくように構成されていることを要旨とする。
【０１６０】
具体的には、図１１に示すように、本実施形態に係る移動通信システムでは、特定の移動局ＵＥに対して割り当てられていないＵｎ無線ベアラが、各ＱｏＳについて１本づつ設定されているように構成されている。
【０１６１】
図１１の例では、「ＵＥ＃？」及び「ＤＲＢ＃０」によって特定されるＵｎ無線ベアラは、ＱｏＳ＃０用の未割り当てＵｎ無線ベアラであり、「ＵＥ＃？」及び「ＤＲＢ＃１」によって特定されるＵｎ無線ベアラは、ＱｏＳ＃１用の未割り当てＵｎ無線ベアラであり、「ＵＥ＃？」及び「ＤＲＢ＃２」によって特定されるＵｎ無線ベアラは、ＱｏＳ＃２用の未割り当てＵｎ無線ベアラである。
【０１６２】
次に、図１２を参照して、本実施形態に係る移動通信システムにおいて、移動局ＵＥのＵプレーン用ベアラを設定する動作について説明する。
【０１６３】
図１２に示すように、ステップＳ７００１乃至Ｓ７００８の動作は、図４に示すステップＳ１００１乃至Ｓ１００８の動作と同一である。
【０１６４】
なお、ステップＳ７００６において、リレーノードＲＮは、リレーノードＲＮ用として設定されているＳＲＢの代わりに、リレーノードＲＮ用として設定されているＤＲＢや、移動局ＵＥ用として予め設定されているＤＲＢを介して、無線基地局ＤｅＮＢに対して、「Ａｔｔａｃｈ  Ｒｅｑｕｅｓｔ」を含む「Ｉｎｉｔｉａｌ  ＵＥ  Ｍｅｓｓａｇｅ」を送信してもよい。
【０１６５】
ステップＳ７００９において、交換局ＭＭＥは、受信した「Ｉｎｉｔｉａｌ  ＵＥ  Ｍｅｓｓａｇｅ」に応じて、無線基地局ＤｅＮＢに対して、「Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」を送信し、無線基地局ＤｅＮＢは、予め設定されているＵｎ無線ベアラを介して、リレーノードＲＮに対して、「Ａｔｔａｃｈ  Ｒｅｑｕｅｓｔ」を含む「Ｉｎｉｔｉａｌ  Ｃｏｎｔｅｘｔ  Ｓｅｔｕｐ  Ｒｅｑｕｅｓｔ」を送信する。
【０１６６】
リレーノードＲＮは、移動局ＵＥに対して、ステップＳ７０１０において、「Ｓｅｃｕｒｉｔｙ  Ｍｏｄｅ  Ｃｏｍｍａｎｄ」を送信し、ステップＳ７０１１において、「ＲＲＣ  Ｃｏｎｎｃｅｔｉｏｎ  Ｒｅｃｏｎｆｉｇｕｒａｔｉｏｎ」を送信する。
【０１６７】
かかる「ＲＲＣ  Ｃｏｎｎｃｅｔｉｏｎ  Ｒｅｃｏｎｆｉｇｕｒａｔｉｏｎ」は、移動局ＵＥ用のＵｕ無線ベアラ（ＵＥ用ＤＲＢ）を設定するように要求する情報要素を含む移動局ＵＥ用のＵｕ無線ベアラの設定要求信号である。
【０１６８】
移動局ＵＥは、リレーノードＲＮに対して、ステップＳ７０１２において、「Ｓｅｃｕｒｉｔｙ  Ｍｏｄｅ  Ｃｏｍｐｌｅｔｅ」を送信し、ステップＳ７０１３において、「ＲＲＣ  Ｃｏｎｎｃｅｔｉｏｎ  Ｒｅｃｏｎｆｉｇｕｒａｔｉｏｎ  Ｃｏｍｐｌｅｔｅ（移動局ＵＥ用のＵｕ無線ベアラの設定完了信号）」を送信する。
【０１６９】
ステップＳ７０１４において、移動局ＵＥ用のＵｕ無線ベアラが確立され、ステップＳ７０１６において、リレーノードＲＮは、かかる移動局ＵＥ用のＵｕ無線ベアラと、予め確立されていた移動局ＵＥ用のＵｎ無線ベアラとを関連付けるＵＥコンテキストを生成して記憶する。
【０１７０】
ステップＳ７０１７において、リレーノードＲＮは、交換局ＭＭＥに対して、「Ｉｎｉｔｉａｌ  Ｃｏｎｔｅｘｔ  Ｓｅｔｕｐ  Ｒｅｓｐｏｎｓｅ」を送信する。
【０１７１】
ステップＳ７０１８において、上述の移動局ＵＥ用のＵｎ無線ベアラと、移動局ＵＥ用のＳ１ベアラとを関連付けるＵＥコンテキストを生成して記憶する。
【０１７２】
ステップＳ７０１９において、移動局ＵＥは、交換局ＭＭＥに対して「Ａｔｔａｃｈ  Ｃｏｍｐｌｅｔｅ」を送信する。
【０１７３】
ステップＳ７０２０において、リレーノードＲＮは、交換局ＭＭＥに対して、「Ｓｅｒｖｉｃｅ  Ｒｅｑｕｅｓｔ（リレーノードＲＮ用のＥ-ＲＡＢの設定要求信号）」を送信する。
【０１７４】
ステップＳ７０２１において、交換局ＭＭＥは、受信した「Ｓｅｒｖｉｃｅ  Ｒｅｑｕｅｓｔ」に応じて、無線基地局ＤｅＮＢに対して、「Ｄｅｄｉｃａｔｅｄ  ＥＰＳ  Ｂｅａｒｅｒ  Ｃｏｎｔｅｘｔ  Ｒｅｑｕｅｓｔ」を含む「Ｅ-ＲＡＢ  Ｓｅｔｕｐ  Ｒｅｑｕｅｓｔ」を送信する。
【０１７５】
ステップＳ７０２２において、無線基地局ＤｅＮＢは、リレーノードＲＮに対して、「Ｄｅｄｉｃａｔｅｄ  ＥＰＳ  Ｂｅａｒｅｒ  Ｃｏｎｔｅｘｔ  Ｒｅｑｕｅｓｔ」を含む「ＲＲＣ  Ｃｏｎｎｅｃｔｉｏｎ  Ｒｅｃｏｎｆｉｇｕｒａｔｉｏｎ」を送信する。
【０１７６】
かかる「ＲＲＣ  Ｃｏｎｎｃｅｔｉｏｎ  Ｒｅｃｏｎｆｉｇｕｒａｔｉｏｎ」は、リレーノードＲＮ用のＵｎ無線ベアラ（ＲＮ用ＤＲＢ）を設定するように要求する情報要素を含むリレーノードＲＮ用のＵｎ無線ベアラの設定要求信号である。
【０１７７】
ステップＳ７０２３において、リレーノードＲＮは、無線基地局ＤｅＮＢに対して、「ＲＲＣ  Ｃｏｎｎｃｅｔｉｏｎ  Ｒｅｃｏｎｆｉｇｕｒａｔｉｏｎ  Ｃｏｍｐｌｅｔｅ（リレーノードＲＮ用のＵｕ無線ベアラの設定完了信号）」を送信し、ステップＳ７０２４において、無線基地局ＤｅＮＢは、交換局ＭＭＥに対して、「Ｅ-ＲＡＢ  Ｓｅｔｕｐ  Ｒｅｓｐｏｎｓｅ」を送信する。
【０１７８】
ステップＳ７０２５において、第２無線区間において、上述のステップＳ７００１乃至Ｓ７０１８の動作によって割り当てられたＵｎ無線ベアラに対応するＱｏＳについて、特定の移動局ＵＥに対して割り当てられていない状態のＵｎ無線ベアラが確立される。
【０１７９】
本実施形態に係る移動通信システムによれば、各ＱｏＳ用のＵｎ無線ベアラを設定するために要する時間を低減することができる。
【０１８０】
（本発明の第４の実施形態の変更例１）
図１３を参照して、本発明の第４の実施形態の本変更例１について、上述の第４の実施形態との相違点に着目して説明する。以下、図１３を参照して、本変更例に係る移動通信システムにおいて、移動局ＵＥのＵプレーン用ベアラを設定する動作について説明する。
【０１８１】
図１３に示すように、ステップＳ８００１乃至Ｓ８０２５の動作は、図１２に示すステップＳ７００１乃至Ｓ７０２５の動作と同一である。
【０１８２】
本実施形態に係る移動通信システムでは、リレーノードＲＮが、複数の移動局ＵＥの識別情報（Ｃ-ＲＮＴＩ（ＵＥ＃０乃至ＵＥ＃ｎ））を管理する必要があるため、ステップＡにおいて、リレーノードＲＮが、無線基地局ＤｅＮＢから、複数の移動局ＵＥの識別情報（Ｃ-ＲＮＴＩ（ＵＥ＃０乃至ＵＥ＃ｎ））を取得するように構成されている。
【０１８３】
（本発明の第４の実施形態の変更例２）
図１４を参照して、本発明の第４の実施形態の本変更例２について、上述の第４の実施形態との相違点に着目して説明する。以下、図１４を参照して、本変更例に係る移動通信システムにおいて、移動局ＵＥのＵプレーン用ベアラを設定する動作について説明する。
【０１８４】
図１４に示すように、ステップＳ９００１乃至Ｓ９０２５の動作は、図１２に示すステップＳ９００１乃至Ｓ９０２５の動作と同一である。
【０１８５】
本実施形態に係る移動通信システムでは、リレーノードＲＮが、複数の移動局ＵＥの識別情報（Ｃ-ＲＮＴＩ（ＵＥ＃０乃至ＵＥ＃ｎ））を管理する必要があるため、ステップＢにおいて、リレーノードＲＮが、無線基地局ＤｅＮＢから、複数の移動局ＵＥの識別情報（Ｃ-ＲＮＴＩ（ＵＥ＃０乃至ＵＥ＃ｎ））を取得するように構成されている。
【０１８６】
以上に述べた本実施形態の特徴は、以下のように表現されていてもよい。
【０１８７】
本実施形態の第１の特徴は、移動通信方法であって、リレーノードＲＮと無線基地局ＤｅＮＢとの間の第２無線区間で、交換局ＭＭＥとの間でＥ-ＲＡＢを設定しているリレーノードＲＮ配下の移動局ＵＥの数よりも多くの数の各ＱｏＳ用のＵｎ無線ベアラを予め設定する工程Ａと、移動局ＵＥと交換局ＭＭＥとの間で、所定ＱｏＳの通信を行うための移動局ＵＥ用のＥ-ＲＡＢを設定する際に、移動局ＵＥとリレーノードＲＮとの間の第１無線区間で、所定ＱｏＳ用のＵｕ無線ベアラを設定する工程Ｂとを有し、工程Ｂにおいて、リレーノードＲＮは、所定ＱｏＳ用のＵｕ無線ベアラと、所定ＱｏＳ用のＵｎ無線ベアラとを関連付ける第１コンテキスト情報を生成して記憶し、無線基地局ＤｅＮＢが、所定ＱｏＳ用のＵｎ無線ベアラと、無線基地局ＤｅＮＢと交換局ＭＭＥとの間のＳ１ベアラとを関連付ける第２コンテキスト情報を生成して記憶することを要旨とする。
【０１８８】
本実施形態の第１の特徴において、工程Ｂにおいて、リレーノードＲＮは、第１無線区間における移動局ＵＥ用のＥ-ＲＡＢベアラの識別情報（例えば、Ｅ-ＲＡＢ＃０）と移動局ＵＥの識別情報（例えば、Ｃ-ＲＮＴＩ（ＵＥ＃０））とＵｕ無線ベアラの識別情報（例えば、ＤＲＢ＃０）とによって特定される所定ＱｏＳ用のＵｕ無線ベアラと、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定される所定ＱｏＳ用のＵｎ無線ベアラとを関連付ける第１コンテキスト情報を生成して記憶し、無線基地局ＤｅＮＢは、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定される所定ＱｏＳ用のＵｎ無線ベアラと、無線基地局ＤｅＮＢと交換局ＭＭＥとの間のＳ１ベアラとを関連付ける第２コンテキスト情報を生成して記憶してもよい。
【０１８９】
本実施形態の第１の特徴において、工程Ｂにおいて、リレーノードＲＮは、無線基地局ＤｅＮＢから移動局ＵＥの識別情報（例えば、Ｃ-ＲＮＴＩ（ＵＥ＃０））を取得し、リレーノードＲＮは、第１無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｕ無線ベアラの識別情報（例えば、ＤＲＢ＃０）とによって特定される所定ＱｏＳ用のＵｕ無線ベアラと、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定される所定ＱｏＳ用のＵｎ無線ベアラとを関連付ける第１コンテキスト情報を生成して記憶し、無線基地局ＤｅＮＢが、第２無線区間における移動局ＵＥ用のＥ-ＲＡＢの識別情報（例えば、Ｅ-ＲＡＢ＃０）と移動局ＵＥの識別情報（例えば、Ｃ-ＲＮＴＩ（ＵＥ＃０））とＵｎ無線ベアラの識別情報（例えば、ＤＲＢ＃０）とによって特定される所定ＱｏＳ用のＵｎ無線ベアラと、無線基地局ＤｅＮＢと交換局ＭＭＥとの間のＳ１ベアラとを関連付ける第２コンテキスト情報を生成して記憶してもよい。
【０１９０】
本実施形態の第３の特徴は、リレーノードＲＮであって、ＤｅＮＢ側インターフェイス２２は、第２無線区間で、交換局ＭＭＥとの間でＥ-ＲＡＢを設定しているリレーノードＲＮ配下の移動局ＵＥの数よりも多くの数の各ＱｏＳ用のＵｎ無線ベアラを予め設定しておくように構成されていることを要旨とする。
【０１９１】
本実施形態の第４の特徴は、無線基地局ＤｅＮＢであって、ＲＮ側インターフェイス１２は、第２無線区間で、交換局ＭＭＥとの間でＥ-ＲＡＢを設定しているリレーノードＲＮ配下の移動局ＵＥの数よりも多くの数の各ＱｏＳ用のＵｎ無線ベアラを予め設定しておくように構成されていることを要旨とする。
【０１９２】
なお、上述の移動局ＵＥやリレーノードＲＮや無線基地局ＤｅＮＢや交換局ＭＭＥの動作は、ハードウェアによって実施されてもよいし、プロセッサによって実行されるソフトウェアモジュールによって実施されてもよいし、両者の組み合わせによって実施されてもよい。
【０１９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやリレーノードＲＮや無線基地局ＤｅＮＢや交換局ＭＭＥ内に設けられていてもよい。また、かかる記憶媒体及びプロセッサは、ディスクリートコンポーネントとして移動局ＵＥやリレーノードＲＮや無線基地局ＤｅＮＢや交換局ＭＭＥ内に設けられていてもよい。
【０１９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１９６】
ＵＥ…移動局
ＲＮ…リレーノード
ＤｅＮＢ…無線基地局
ＭＭＥ…交換局
１１…ＭＭＥ側インターフェイス
１２…ＲＮ側インターフェイス
１３…判定部
１４…ＵＥコンテキスト管理部
２１…ＵＥ側インターフェイス
２２…ＤｅＮＢ側インターフェイス
【図１】
2010283672.tif 000003
【図２】
2010283672.tif 000004
【図３】
2010283672.tif 000005
【図４】
2010283672.tif 000006
【図５】
2010283672.tif 000007
【図６】
2010283672.tif 000008
【図７】
2010283672.tif 000009
【図８】
2010283672.tif 000010
【図９】
2010283672.tif 000011
【図１０】
2010283672.tif 000012
【図１１】
2010283672.tif 000013
【図１２】
2010283672.tif 000014
【図１３】
2010283672.tif 000015
【図１４】
2010283672.tif 000016